(57)【要約】【課題】総合的な管理・運用が容易にでき情報の有効利用が容易な運用管理システムを提供する。【解決手段】ネットワーク１１０を介して業務カテゴリ毎の複数のサーバ装置１３０から所定のデータを所定時間経過毎に取得し、データ記憶領域１８１に記憶する。取得したデータと、基準値記憶領域１８３に記憶した基準値データの基準値と比較し、基準値の範囲外か否かを判断する。開示要求に応じて、一元管理一覧表示フォームおよび業務カテゴリ別の各表示フォームを用いて取得したデータを表示させる。基準値の範囲外のデータは、異なる表示形態で表示させる。複数のサーバ装置１３０で管理するデータを、各業務カテゴリ別として統括管理でき、企業における他の部門の管理者でも基準値との比較結果の表示による容易な認識ができ、処理装置の運転に関する企業のトータル的な管理・運用が容易にできる。【選択図】図１
2008234070.tif 000002
【特許請求の範囲】
【請求項１】
処理プラントにおける処理装置の運転に関する各種データを蓄積し各部門に設置された複数のサーバ装置がネットワークを介して送受信可能に接続され、前記複数のサーバ装置で蓄積する各種データを一元管理するとともに、前記ネットワークを介して接続する端末装置からの開示要求に応じて前記データを前記端末装置で表示可能に送信する運用管理システムであって、
前記サーバ装置から送信される前記データを記憶するデータ記憶手段と、
前記データを表示する表示領域を複数有し業務カテゴリに対応して入力操作により選択可能に複数の業務カテゴリ領域を表示手段に一覧表示させる一元管理一覧表示フォーム、および、この一覧表示フォームの前記業務カテゴリ領域に紐付けられるとともに前記一元管理一覧表示フォームに前記部門に対応して入力操作により選択可能に設けられた複数のタグに紐付けられ、業務カテゴリ毎に前記データを一覧表示させる複数の業務カテゴリ別一覧表示フォームを記憶するフォーム記憶手段と、
前記データの基準値に関する基準値データを複数記憶する基準値記憶手段と、
前記ネットワークを介して前記サーバ装置へ前記蓄積された所定のデータの送信を要求する旨の要求信号を所定時間経過毎に出力するデータ要求手段と、
このデータ要求手段による前記要求信号の出力に応じて前記サーバ装置から送信される前記データに前記サーバ装置を特定するサーバ識別情報および前記業務カテゴリの内容に関する業務内容情報を関連付けて１つの記録情報を生成し前記記録情報を前記データ記憶手段に記憶させるデータ取得手段と、
前記データ取得手段で取得した前記データを、前記基準値記憶手段に記憶された基準値データの基準値と比較し、基準値の範囲外か否かを判断する基準値判断手段と、
前記データの開示要求を認識すると、前記一元管理一覧表示フォームおよび前記業務カテゴリ別一覧表示フォームを用いて前記データを表示手段で表示させる制御をするとともに、前記基準値判断手段により基準値の範囲外であると判断した前記データを、基準値の範囲内である前記データを表示領域に表示する表示形態と異なる表示形態で表示させる制御をする表示制御手段と、
を具備したことを特徴とした運用管理システム。
【請求項２】
請求項１に記載の運用管理システムであって、
前記表示制御手段は、入力操作により前記表示領域が選択されて前記表示領域に表示される前記データの開示要求を認識すると、前記表示領域に対応する前記データを、前記基準値データとともに前記表示手段で表示させる制御をする
ことを特徴とした運用管理システム。
【請求項３】
請求項１または請求項２に記載の運用管理システムであって、
前記データ取得手段は、前記データを集積するサーバ装置で計時する現在日時に関する日時情報とともに前記データを取得して前記１つの記録情報を生成する
ことを特徴とした運用管理システム。
【請求項４】
請求項３に記載の運用管理システムであって、
前記表示制御手段は、入力操作により前記表示領域が選択されて前記表示領域に表示される前記データの開示要求を認識すると、前記データに関連付けられた日時情報と同一の日時情報を有した他の前記データと併せて一覧表示させる制御をする
ことを特徴とした運用管理システム。
【請求項５】
演算手段により、処理プラントにおける処理装置の運転に関する各種データを業務カテゴリ毎に集積する複数のサーバ装置の前記各種データを一元管理するとともに、ネットワークを介して接続する端末装置からの開示要求に応じて前記データを前記端末装置で表示可能に送信する運用管理方法であって、
前記サーバ装置から送信される前記データを記憶するデータ記憶手段と、
入力操作により選択可能に前記データを表示する表示領域を複数有し前記サーバ装置の業務カテゴリに対応する複数の業務カテゴリ領域を表示手段に一覧表示させる一覧表示フォーム、および、前記業務カテゴリに対応した前記データを表示する表示領域を複数有し前記表示手段に一覧表示する業務カテゴリ別一覧表示フォームを記憶するフォーム記憶手段と、
前記データの基準値に関する基準値データを複数記憶する基準値記憶手段と、を用い、
前記ネットワークを介して前記サーバ装置へ前記蓄積された所定のデータの送信を要求する旨の要求信号を所定時間経過毎に出力するデータ要求工程と、
このデータ要求工程で前記要求信号の出力に応じて前記サーバ装置から送信される前記データに前記サーバ装置を特定するサーバ識別情報を関連付けて１つの記録情報を生成させ、この生成した記録情報を前記データ記憶手段に記憶させるデータ取得工程と、
このデータ取得工程で取得した前記データを、前記基準値記憶手段に記憶された基準値データの基準値と比較し、基準値の範囲外か否かを判断する基準値判断工程と、
前記データの開示要求を認識すると、前記一覧表示フォームおよび前記業務カテゴリ別一覧表示フォームを用いて前記データを表示手段で表示させる制御をするとともに、前記基準値判断工程で基準値の範囲外であると判断した前記データを、基準値の範囲内である前記データを前記表示領域に表示する表示形態と異なる表示形態で表示させる制御をする表示制御工程と、を実施する
ことを特徴とする運用管理方法。
【請求項６】
請求項５に記載の運用管理方法を演算手段に実行させる
ことを特徴とした運用管理プログラム。
【請求項７】
請求項６に記載の運用管理プログラムが演算手段にて読取可能に記録された
ことを特徴とした運用管理プログラムを記録した記録媒体。
【発明の詳細な説明】
【技術分野】
【０００１】
本発明は、処理プラントにおける処理装置の運転に関する各種データを端末装置で取得可能に一元管理する運用管理システム、運用管理方法、そのプログラム、および、そのプログラムを記録した記録媒体に関する。
【背景技術】
【０００２】
近年、販売管理、生産管理、在庫購買管理、会計管理などの共通的な業務を、１つのデータベースで統合したＥＲＰ（Enterprise Resource Planninng）パッケージと呼ばれる統合業務システムが知られている。
このような統合業務システムは、上記の共通的な業務が１つのデータベースに統合されているため、例えば、生産管理システムで入力された情報をそのまま販売管理システムや会計システムで利用することができる。このため、各部門でリアルタイムに情報にアクセスすることができる、という利点がある。また、このようなＥＲＰパッケージを利用することにより、企業内の複数の業務部門の情報を横断的に把握し、経営資源の最適化を図ることもできる。
具体的に、販売管理システム、生産管理システム、および在庫購買管理システムを備えた統合業務システムについて説明する。市場動向などに基づいて販売管理システムで作成された販売計画情報は生産管理システムに導入される。そして、生産管理システムは、販売計画情報に基づいて、生産計画作成機能を利用して、各工場における生産計画を作成する。また、工場では、生産計画に基づいて製品を製造する。一方、他の在庫購買管理システムでは、生産管理システムで作成された生産計画情報に基づいて、現状の在庫製品の円滑な管理に利用したり、製品の製造に必要な原料の円滑な調達に利用している。
ところで、従来、製品の実製造をする工場では、プラントなどの製造設備を制御したり、製品の数量、収率をチェックしたりするために、製造管理システムが導入されている。そして、製造管理システムでは、統合業務システムで作成した生産計画に基づいて、生産された製品の数量などの生産実績情報を作成する。この生産実績情報は、次回の生産計画の作成に資するために、生産管理システムに転送される。このように、各工場における生産実績情報が、逐次、統合業務システムを構成する生産管理システムにフィードバックされることで、次回の生産計画の精度が向上するとともに、他のシステムと連動して極めて効率的に業務の遂行が得られる、という効果がある。
このように、製造や生産を統括に管理するシステムが知られている（例えば、特許文献１ないし特許文献５参照）。
【０００３】
特許文献１に記載のものは、複数の職能部門にそれぞれ設けられ各製品に関する各種の管理情報を画面表示する表示手段、および画面上から当該職能部門における製品の製造実績情報や発生した工程情報を手書き入力するとともに各管理情報の表示出力の指示をするペン入力手段を備えた部門管理手段と、各職能部門の部門管理手段間を双方向通信可能に接続する企業内情報通信網と、管理部門内に設けられる情報処理装置とを用いて、管理部門において各職能部門を統合して総合的な生産管理を行うものである。
このシステムは、情報処理装置が企業内情報通信網を介して各職能部門の部門管理手段と双方向通信可能に接続され、各職能部門からの要求に基づいて保有する各製品に関する前工程までの各種の生産管理情報や予算情報を各部門管理手段に提供するとともに、各製品の生産工程の進行に伴って各職能部門の部門管理手段が出力する製造実績情報や工程情報に基づいて各管理情報の更新処理をし、蓄積する。また、管理部門から発行された製造指示書に基づいて各職能部門に作業者が担当製品の製造作業を行う際に、作業者が部門管理手段の表示手段の画面上からペン入力手段により担当製品のコード入力をすることによって、企業内情報通信網を介して接続された管理部門の情報処理装置が、少なくとも当該製品に関する単価情報、原価情報や加工費の予算情報あるいは前工程までの加工費の実績や予算達成率情報の管理費情報、材料費情報、外注費情報あるいは作業時間情報を出力し、部門管理手段の表示手段に画面表示させ、作業者による確認を可能としている。さらに、作業者が所定の作業を終了して部門管理手段の表示手段の画面上からペン入力手段により担当製品に関する作業実績情報と工程内情報とを手書き入力することで、部門管理手段が作業実績情報とともに少なくとも作業に要した加工費、この加工費の全加工費予算に占める割合や加工費予算に対する設定率あるいは全加工費予算の残額を算出して表示手段に表示させるとともに、各情報を必要に応じて更新させて作業者による確認が可能としている。
そして、作業実績情報と工程内情報とが企業内情報通信網を介して生産部門内の情報処理装置に出力させることによって、生産工程の進行に伴って各種の生産管理情報や予算情報が逐次更新されるとともに、工程内情報のデータベース化が行われる構成が採られている。
【０００４】
特許文献２に記載のものは、銑鉄を製造するための複数の生産設備における操業を管理するためのＳＣＲ画面と、ＩＴＶ画像とを大型スクリーンに表示させる。
そして、複数の生産設備におけるそれぞれの操業状態を制御するのに必要な情報を、大型スクリーンに集約して表示させ、複数の生産設備における操業状態を一人のオペレータの入力装置による操作に基づいて制御できるようにした構成が採られている。
【０００５】
特許文献３に記載のものは、製造フローデータ、作業条件データ、製品別条件割当データの３種類のデータを定義し、製造情報をそれらのデータフォーマットにしたがって作成、登録する。
そして、それらのデータを必要に応じて組み合わせ、作業記録情報を生成する構成が採られている。
【０００６】
特許文献４に記載のものは、操業実績データベースから操業実績を読み込み、処理開始時刻の座標および処理完了時刻の座標を、各製品番号別に算出する。そして、所定の複数の項目の操業実績に係るバーをそれぞれ生成し、それらのバーを所定の順にソートし、ソートした各バーを時間軸に、対応する製品番号の処理開始時刻の座標から、各バーが積層するようにそれぞれ割り付ける。
また、ガントチャートのデータを表示装置で表示させる構成が採られている。
【０００７】
特許文献５に記載のものは、企業などのグループの中で発生する情報を管理する情報管理方法において、複数の仕事の階層状の上下関係を示す第１の情報と、複数の仕事の実施における時間的な前後関係を示す第２の情報と、各仕事と当該仕事を実施して最終的に生成される成果物との関係を示す第３の情報と、各仕事と当該仕事を実施する過程で生成される付帯情報との関係を示す第４の情報とを、サーバコンピュータで管理する。
そして、第１〜第４の情報は、クライアントコンピュータで選択的に画面表示可能とした構成が採られている。
【０００８】
【特許文献１】特許第３３９０６６３号公報
【特許文献２】特開２００５−１８２８２号公報
【特許文献３】特開２００２−２５９５０３号公報
【特許文献４】特開２００１−１３４３１３号公報
【特許文献５】特開２００２−２５９６４２号公報
【発明の開示】
【発明が解決しようとする課題】
【０００９】
しかしながら、上述特許文献１ないし特許文献５に記載のような従来のシステムでは、製造ラインにおける製造管理や管理業務における統括管理など、企業における製造部や管理部などの一部の領域での管理となり、企業におけるトータル的な管理や運用が図りにくい。
そこで、各領域で使用されるシステムをさらに統括管理することも考えられるが、それぞれのシステムで用いられるＯＳ（Operating System）が異なり、複数のシステムを統括管理することが困難である。例えば、製造部における製造管理で利用されるシステムでは、管理システムで製造装置を制御するために特定のシーケンサが必要となるので、管理システムと製造装置とが互いに認識できる特定のデータおよびデータ通信を構築する必要がある。また、一方、各部門における用役管理や在庫管理などを管理するシステムでも、各部門における管理項目や入力操作性などの点で、上述した従来のシステムを利用するなど、部門毎に構築されたシステム構成となっている。したがって、製造管理や各部門における管理システムをさらに統括管理することが非常に困難である。
【００１０】
本発明は、このような点などに鑑みて、総合的な管理・運用が容易にでき情報の有効利用が容易な運用管理システム、運用管理方法、そのプログラム、および、そのプログラムを記録した記録媒体を提供することを目的とする。
【課題を解決するための手段】
【００１１】
本発明の運用管理システムは、処理プラントにおける処理装置の運転に関する各種データを蓄積し各部門に設置された複数のサーバ装置がネットワークを介して送受信可能に接続され、前記複数のサーバ装置で蓄積する各種データを一元管理するとともに、前記ネットワークを介して接続する端末装置からの開示要求に応じて前記データを前記端末装置で表示可能に送信する運用管理システムであって、前記サーバ装置から送信される前記データを記憶するデータ記憶手段と、前記データを表示する表示領域を複数有し業務カテゴリに対応して入力操作により選択可能に複数の業務カテゴリ領域を表示手段に一覧表示させる一元管理一覧表示フォーム、および、この一覧表示フォームの前記業務カテゴリ領域に紐付けられるとともに前記一元管理一覧表示フォームに前記部門に対応して入力操作により選択可能に設けられた複数のタグに紐付けられ、業務カテゴリ毎に前記データを一覧表示させる複数の業務カテゴリ別一覧表示フォームを記憶するフォーム記憶手段と、前記データの基準値に関する基準値データを複数記憶する基準値記憶手段と、前記ネットワークを介して前記サーバ装置へ前記蓄積された所定のデータの送信を要求する旨の要求信号を所定時間経過毎に出力するデータ要求手段と、このデータ要求手段による前記要求信号の出力に応じて前記サーバ装置から送信される前記データに前記サーバ装置を特定するサーバ識別情報および前記業務カテゴリの内容に関する業務内容情報を関連付けて１つの記録情報を生成し前記記録情報を前記データ記憶手段に記憶させるデータ取得手段と、前記データ取得手段で取得した前記データを、前記基準値記憶手段に記憶された基準値データの基準値と比較し、基準値の範囲外か否かを判断する基準値判断手段と、前記データの開示要求を認識すると、前記一元管理一覧表示フォームおよび前記業務カテゴリ別一覧表示フォームを用いて前記データを表示手段で表示させる制御をするとともに、前記基準値判断手段により基準値の範囲外であると判断した前記データを、基準値の範囲内である前記データを表示領域に表示する表示形態と異なる表示形態で表示させる制御をする表示制御手段と、を具備したことを特徴とする。
この発明では、データ要求手段によりネットワークを介して業務カテゴリ毎に設けられた複数のサーバ装置へ蓄積された所定のデータの送信を要求する旨の要求信号を所定時間経過毎に出力し、データ取得手段により要求信号の出力に応じてサーバ装置から送信されるデータにサーバ装置を特定するサーバ識別情報を関連付けて１つの記録情報を生成してデータ記憶手段に記憶させる。さらに、基準値判断手段により、データ取得手段で取得したデータを、基準値記憶手段に記憶された基準値データの基準値と比較し、基準値の範囲外か否かを判断する。そして、データの開示要求を認識すると、一元管理一覧表示フォームおよび業務カテゴリ別一覧表示フォームを用いて、取得したデータを表示手段で表示させるとともに、基準値の範囲外であると判断したデータについては、基準値の範囲内であるデータを一元管理一覧表示フォームや業務カテゴリ別一覧表示フォームの表示領域に表示する表示形態と異なる表示形態で表示領域に表示させる。
このことにより、複数のサーバ装置で管理されるデータを、各業務カテゴリ別として統括管理できるとともに、業務カテゴリ毎のデータの詳細な内容の管理もでき、企業における他の部門の管理者でも、基準値との比較結果の表示による容易な認識ができ、処理装置の運転に関する企業におけるデータの一元管理およびトータル的な管理・運用が容易にできる。
【００１２】
そして、本発明では、請求項１に記載の運用管理システムであって、前記表示制御手段は、入力操作により前記表示領域が選択されて前記表示領域に表示される前記データの開示要求を認識すると、前記表示領域に対応する前記データを、前記基準値データとともに前記表示手段で表示させる制御をする構成とすることが好ましい。
この発明では、表示制御手段により、入力操作により表示領域が選択されて表示領域に表示されるデータの開示要求を認識すると、表示領域に対応するデータを、基準値データとともに表示手段で表示させる。
このことにより、処理装置の運転に関して基準値を超えている状態を容易に認識でき、迅速かつ円滑な対応が容易にできる。
【００１３】
また、本発明では、請求項１または請求項２に記載の運用管理システムであって、前記データ取得手段は、前記データを集積するサーバ装置で計時する現在日時に関する日時情報とともに前記データを取得して前記１つの記録情報を生成する構成とすることが好ましい。
この発明では、データ取得手段により、データとともにデータを集積するサーバ装置で計時する現在日時に関する日時情報とともに前記データを取得し、１つの記録情報を生成させる。
このことにより、各部門で管理するサーバ装置での管理状態と同様に、企業における異なる部門においてもリアルタイムで管理できるとともに、同様な管理ができることから、本システム管理への移行も容易にできる。さらには、日時による履歴管理などをすることも容易にできる。
【００１４】
さらに、本発明では、請求項３に記載の運用管理システムであって、前記表示制御手段は、入力操作により前記表示領域が選択されて前記表示領域に表示される前記データの開示要求を認識すると、前記データに関連付けられた日時情報と同一の日時情報を有した他の前記データと併せて一覧表示させる制御をする構成とすることが好ましい。
この発明では、表示制御手段により、入力操作により表示領域が選択されて表示領域に表示されるデータの開示要求を認識すると、データに関連付けられた日時情報と同一の日時情報を有する他のデータと併せて一覧表示させる。
このことにより、例えば同一の業務カテゴリ毎における処理装置の運転に関する異なるデータの比較など、トータル的な管理・運用性を向上できる。
【００１５】
本発明に記載の運用管理方法は、請求項１に記載の運用管理システムを運用管理方法に展開したもので、演算手段により、処理プラントにおける処理装置の運転に関する各種データを業務カテゴリ毎に集積する複数のサーバ装置の前記各種データを一元管理するとともに、ネットワークを介して接続する端末装置からの開示要求に応じて前記データを前記端末装置で表示可能に送信する運用管理方法であって、前記サーバ装置から送信される前記データを記憶するデータ記憶手段と、入力操作により選択可能に前記データを表示する表示領域を複数有し前記サーバ装置の業務カテゴリに対応する複数の業務カテゴリ領域を表示手段に一覧表示させる一覧表示フォーム、および、前記業務カテゴリに対応した前記データを表示する表示領域を複数有し前記表示手段に一覧表示する業務カテゴリ別一覧表示フォームを記憶するフォーム記憶手段と、前記データの基準値に関する基準値データを複数記憶する基準値記憶手段と、を用い、前記ネットワークを介して前記サーバ装置へ前記蓄積された所定のデータの送信を要求する旨の要求信号を所定時間経過毎に出力するデータ要求工程と、このデータ要求工程で前記要求信号の出力に応じて前記サーバ装置から送信される前記データに前記サーバ装置を特定するサーバ識別情報を関連付けて１つの記録情報を生成させ、この生成した記録情報を前記データ記憶手段に記憶させるデータ取得工程と、このデータ取得工程で取得した前記データを、前記基準値記憶手段に記憶された基準値データの基準値と比較し、基準値の範囲外か否かを判断する基準値判断工程と、前記データの開示要求を認識すると、前記一覧表示フォームおよび前記業務カテゴリ別一覧表示フォームを用いて前記データを表示手段で表示させる制御をするとともに、前記基準値判断工程で基準値の範囲外であると判断した前記データを、基準値の範囲内である前記データを前記表示領域に表示する表示形態と異なる表示形態で表示させる制御をする表示制御工程と、を実施することを特徴とする。
このことにより、本発明の運用管理方法は、請求項１に記載の発明と同様の作用効果を享受する。
【００１６】
本発明に記載の運用管理プログラムは、請求項５に記載の運用管理方法を演算手段に実行させることを特徴とした運用管理プログラムである。
この発明では、例えば汎用のコンピュータなどを演算手段として利用しインストールすることにより請求項５に記載の運用管理方法を演算手段に実行させて請求項１ないし請求項４に記載の運用管理システムとして機能させることができ、本発明の大幅な利用促進を容易に図ることができる。
【００１７】
本発明の運用管理プログラムを記録した記録媒体は、請求項６に記載の運用管理プログラムが演算手段にて読取可能に記録されたことを特徴とする。
この発明では、演算手段に請求項５に記載の運用管理方法を実行させるための請求項６に記載の運用管理プログラムを記録媒体に記録させるので、運用管理プログラムの取扱が容易で、本発明の大幅な利用促進を容易に図ることができる。
【００１８】
なお、請求項５ないし請求項７のいずれかに記載の発明において、演算手段は、例えば１つのパーソナルコンピュータ、複数のコンピュータをネットワーク状に組み合わせた構成、マイクロコンピュータなどの素子、あるいは複数の電子部品が搭載された回路基板などをも含む。
【発明を実施するための最良の形態】
【００１９】
以下、本発明の運用管理システムにおける一実施の形態の構成を図面に基づいて説明する。なお、本実施の形態では、処理プラントにおける処理装置として原油の処理を実施する製油所を例示して説明するが、製油所に限らず、例えば合成樹脂を製造する施設などの各種製品を製造する製造設備や、水処理プラントなど、各種処理を対照とすることができる。
図１は、運用管理システムの概略構成を示すブロック図である。図２は、ウェブブラウザによる画面表示で表示される表示画面である一元管理一覧表示フォームを示す概念図である。図３は、ウェブブラウザによる画面表示で表示される表示画面である安全管理一覧フォームを示す概念図である。図４は、ウェブブラウザによる画面表示で表示される各課における無災害労働時間をグラフ表示するデータ詳細画面を示す概念図である。図５は、ウェブブラウザによる画面表示で表示されるヒヤリハットの事例を表示するデータ詳細画面を示す概念図である。図６は、ウェブブラウザによる画面表示で表示されるヒヤリハット件数を一覧表示するデータ詳細画面を示す概念図である。図７は、ウェブブラウザによる画面表示で表示されるヒヤリハット分析についての詳細な分析用のグラフ一覧表示をするデータ詳細画面を示す概念図である。図８は、ウェブブラウザによる画面表示で表示される表示画面である環境管理部門で管理するデータを一覧表示する環境管理一覧フォームを示す概念図である。図９は、ＣＳＶ形式により環境管理部門で管理するデータを一覧表示されるＣＳＶ一覧表示画面を示す概念図である。図１０は、ウェブブラウザによる画面表示で表示される排ガスのデータを表示するデータ詳細画面を示す概念図である。図１１は、ウェブブラウザによる画面表示で表示される排水のデータを表示するデータ詳細画面を示す概念図である。図１２は、ウェブブラウザによる画面表示で表示される品質管理部門で管理するデータを一覧表示する表示画面である品質管理一覧フォームを示す概念図である。図１３は、ウェブブラウザによる画面表示で表示される品質管理部門で管理するデータのヒストグラムを表示するデータ詳細画面を示す概念図である。図１４は、ウェブブラウザによる画面表示で表示される品質管理結果一覧表示画面を示す概念図である。図１５は、ウェブブラウザによる画面表示で表示される分析計管理一覧表示画面を示す概念図である。図１６は、ウェブブラウザによる画面表示で表示される生産管理部門で管理するデータを一覧表示する表示画面である生産管理一覧フォームを示す概念図である。図１７は、ＣＳＶ形式により生産管理部門で管理するデータを一覧表示されるＣＳＶ一覧表示画面を示す概念図である。図１８は、ウェブブラウザによる画面表示で表示される生産管理部門における課別にデータを一覧表示させるオンサイト管理である課別管理一覧フォームを示す概念図である。図１９は、ウェブブラウザによる画面表示で表示されるタグ検索画面を示す概念図である。図２０は、ウェブブラウザによる画面表示で表示される運転日報画面を示す概念図である。図２１は、ウェブブラウザによる画面表示で表示される表示画面である装置一覧フォームを示す概念図である。図２２は、ウェブブラウザによる画面表示で表示される表示画面である装置詳細図フォームを示す概念図である。図２３は、ウェブブラウザによる画面表示で表示される表示画面である目標値一覧表示フォームを示す概念図である。図２４は、ウェブブラウザによる画面表示で表示される表示画面である用役管理一覧フォームを示す概念図である。図２５は、ＣＳＶ形式により用役管理部門で管理するデータを一覧表示されるＣＳＶ一覧表示画面を示す概念図である。図２６は、ウェブブラウザによる画面表示で表示される表示画面である用役詳細一覧フォームを示す概念図である。図２７は、ウェブブラウザによる画面表示で表示される表示画面である設備管理一覧フォームを示す概念図である。図２８は、ウェブブラウザによる画面表示で表示される表示画面である保全費内訳一覧表示フォームを示す概念図である。図２９は、ウェブブラウザによる画面表示で表示される表示画面である日常保全費分析一覧表示フォームを示す概念図である。図３０は、ウェブブラウザによる画面表示で表示される表示画面である機器信頼分析一覧表示フォームを示す概念図である。図３１は、ウェブブラウザによる画面表示で表示される保全費内訳装置別表示画面を示す概念図である。図３２は、ウェブブラウザによる画面表示で表示される保全費多次元分析表示画面を示す概念図である。図３３は、ウェブブラウザによる画面表示で表示される次元別保全費詳細画面を示す概念図である。図３４は、ウェブブラウザによる画面表示で表示される工事コストについて一覧表示する表示画面である工事リスト一覧フォームを示す概念図である。図３５は、ウェブブラウザによる画面表示で表示される工事スケジュールについて一覧表示する表示画面である工事リスト一覧フォームを示す概念図である。図３６は、ウェブブラウザによる画面表示で表示され工事に関するデータを表示する工事データ詳細表示画面を示す概念図である。図３７は、ウェブブラウザによる画面表示で表示される高度制御一覧フォームを示す概念図である。図３８は、ウェブブラウザによる画面表示で表示される高度制御稼働率推移画面を示す概念図である。図３９は、ウェブブラウザによる画面表示で表示される高度制御切離要因画面を示す概念図である。図４０は、ウェブブラウザによる画面表示で表示される高度制御トレンド画面を示す概念図である。図４１は、ウェブブラウザによる画面表示で表示される高度制御稼働画面を示す概念図である。図４２は、ウェブブラウザによる画面表示で表示される高度制御詳細画面を示す概念図である。図４３は、ウェブブラウザによる画面表示で表示される処理装置の構成部位の高度制御稼働の最適化変数について一覧表示する最適化稼働画面を示す概念図である。図４４は、ウェブブラウザによる画面表示で表示される最適化稼働の制約変数について一覧表示する最適化稼働画面を示す概念図である。図４５は、ウェブブラウザによる画面表示で表示される最適化稼働によるコストについて一覧表示する最適化稼働画面を示す概念図である。図４６は、ウェブブラウザによる画面表示で表示される最適化稼働率推移画面を示す概念図である。図４７は、ウェブブラウザによる画面表示で表示される最適化制約箇所推移画面を示す概念図である。図４８は、ウェブブラウザによる画面表示で表示される表示画面である課別一覧表示フォームを示す概念図である。図４９は、ウェブブラウザによる画面表示で表示される入荷計画のデータを表示する入荷計画データ詳細画面を示す概念図である。図５０は、ウェブブラウザによる画面表示で表示される出荷計画のデータを表示する出荷計画データ詳細画面を示す概念図である。図５１は、ウェブブラウザによる画面表示で表示されるブレンド計画のデータを表示するブレンド計画データ詳細画面を示す概念図である。図５２は、ウェブブラウザによる画面表示で表示される出荷実績のデータを表示するブレンド計画データ詳細画面を示す概念図である。図５３は、ウェブブラウザによる画面表示で表示されるブレンドギブアウェイ画面を示す概念図である。図５４は、ウェブブラウザによる画面表示で表示されるブレンド状況のデータを表示するブレンド詳細画面を示す概念図である。図５５は、ウェブブラウザによる画面表示で表示される表示画面である在庫管理に関するデータをタンクの在庫を品質などのグループで一覧表示する在庫管理画面を示す概念図である。図５６は、ウェブブラウザによる画面表示で表示される表示画面である在庫管理に関するデータでタンク毎の在庫データを一覧表示する在庫管理画面を示す概念図である。図５７は、ウェブブラウザによる画面表示で表示されるタンク在庫分析画面を示す概念図である。図５８は、ウェブブラウザによる画面表示で表示される在庫トレンド画面を示す概念図である。図５９は、ウェブブラウザによる画面表示で表示される油種在庫分析画面を示す概念図である。
【００２０】
〔運用管理システムの概略構成〕
図１において、１００は、運用管理システムで、この運用管理システム１００は、処理プラントにおける処理装置としての製油所１０１の運転に関するデータを、ネットワーク１１０を介して接続する端末装置１２０にて閲覧可能に一元管理するシステムである。なお、説明の都合上、製油所としては１箇所のみを例示するが、複数箇所の製油所に関して、一元管理してもよい。
この運用管理システム１００は、ネットワーク１１０を介して各業務カテゴリに対応する企業における各部門で管理する複数のサーバ装置１３０が送受信可能に接続される。また、この運用管理システム１００には、ネットワーク１１０を介して端末装置１２０が、接続可能となっている。
ネットワーク１１０としては、例えば、ＴＣＰ（Transmission Control Protocol）／ＩＰ（Internet Protocol）などの汎用のプロトコルに基づくインターネット、イントラネット、ＬＡＮ(Local Area Network)、無線媒体により情報が送受信可能な複数の基地局がネットワークを構成する通信回線網や放送網などのネットワーク、さらには、直接送受信するための媒体となる無線媒体自体などが例示できる。ここで、無線媒体としては、電波、光、音波、電磁波などのいずれの媒体をも適用できる。
端末装置１２０は、例えばパーソナルコンピュータや、ノート型のパーソナルコンピュータあるいはＰＤＡ（Personal Digital Assistant）または携帯電話などの携帯端末器などが例示できる。この端末装置１２０は、例えば、ネットワーク１１０を介して運用管理システム１００と各種データを送受信するための図示しない端末通信手段、キーボードやマウスなどの入力操作により各種設定入力する図示しない端末操作手段、各種データを画面表示させる表示手段としての端末表示手段などを備えている。
サーバ装置１３０としては、製油所１０１の図示しない精油設備などの処理装置における計測した温度や流量などの運転状態に関する運転状態情報を取得して集積するとともに、処理装置の運転状態を制御するサーバで、処理装置の運転状態を高度に制御する部門に設置されたもの、生産実績を運用管理する部門に設置されたもの、処理装置の運転に伴う環境を管理する部門に設置されたもの、処理装置の運転による製品の品質を管理する部門に設置されたもの、処理装置の運転のための用役を管理する部門に設置されたもの、原料である原油などや製造した各種精油やガスなどの製品の在庫を管理する部門に設置されたもの、原料となる各種原油や灯油などの入荷状況を管理する部門に設置されたもの、製造した製品の出荷状況を管理する部門に設置されたもの、処理装置の保守管理を実施する部門に設置されたもの、処理装置などの保守管理における保全費などを管理する部門に設置されたもの、処理装置の運転に係わる安全管理を実施する部門に設置されたもの、などが例示できる。
そして、運用管理システム１００は、通信手段１５０と、操作手段１６０と、表示手段１７０と、記憶手段１８０と、演算手段１９０と、などを備えている。
【００２１】
通信手段１５０は、例えば端末装置１２０の端末通信手段と同様に、ネットワーク１１０からの各種信号を送受信する。すなわち、通信手段１５０は、ネットワーク１１０を介して端末装置１２０やサーバ装置１３０からの各種データに対応する信号を受信可能で、ネットワーク１１０を介して取得した信号をあらかじめ設定されている入力インターフェース処理を実施して演算手段１９０へ出力する。また、通信手段１５０は、演算手段１９０からの各種データに対応する信号を入力可能で、この入力される信号をあらかじめ設定されている出力インターフェース処理を実施してネットワーク１１０に送出、すなわちネットワーク１１０を介して所定の送信先の端末装置１２０やサーバ装置１３０へ送信する。
【００２２】
操作手段１６０は、例えば端末装置１２０の端末操作手段と同様に、例えばキーボードやマウスなどで、入力操作される図示しない各種操作ボタンや操作つまみなどを有し、これら操作ボタンや操作つまみの入力操作に応じた信号を演算手段１９０へ出力する。この操作ボタンや操作つまみの入力操作の内容としては、例えば、表示手段１７０に表示させるフォームの作成、表示させるデータの特定、データを送受信させるサーバ装置１３０の登録などの運用管理システム１００の機能などの他、表示状態の設定などのハードウェアの調整など、各種設定や項目事項を設定入力可能ないずれの設定内容が適用できる。
【００２３】
表示手段１７０は、演算手段１９０にて制御され、演算手段１９０から出力される各種画像データに対応する信号を取得して画面表示させる。この表示手段１７０としては、例えば、液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなど、各種表示装置を対照とすることができる。
【００２４】
記憶手段１８０は、演算手段１９０に接続され、演算手段１９０が読出可能に各種データを記憶する。この記憶手段１８０としては、例えば、ＨＤ（Hard Disk）などの磁気ディスク、ＤＶＤ（Digital Versatile Disc）などの光ディスク、メモリカードなど、各種記録媒体に読み出し可能に記憶するドライブやドライバなどの構成の他、半導体メモリなど、さらにはこれらの組み合わせが適用できる。
そして、記憶手段１８０は、データ記憶手段としてのデータ記憶領域１８１と、フォーム記憶手段としてフォーム記憶領域１８２と、基準値記憶手段としての基準値記憶領域１８３と、などを有している。
データ記憶領域１８１は、サーバ装置１３０からネットワーク１１０を介して送信され通信手段１５０で受信した処理装置の運転に関する各種データ、すなわち各サーバ装置１３０で蓄積するデータを記憶する。このデータ記憶領域１８１は、データと、このデータの内容に関する特性情報と、サーバ装置１３０で計時する現在日時に関する日時情報と、送信されたサーバ装置１３０を特定する固有情報である各部門を特定するサーバ識別情報と、業務カテゴリの内容に関する業務内容情報と、を１つの記録情報として複数記録するテーブル構造に構成されている。
フォーム記憶領域１８２は、記憶手段１８０に記憶された各種データなどを画面表示させるための各種フォームのデータを複数記憶する。具体的には、詳細は後述するが、例えば図２ないし図５９に示すようなウェブブラウザによる画面表示で表示される表示画面を構成するＨＴＭＬ（Hyper Text Mark-up Language）形式で記述されたウェブコンテンツのデータ構造に構築された各種フォームデータを複数記憶する。
基準値記憶領域１８３は、例えば、法定基準、協会や組合などの業界における基準、さらには運用管理システム１００の管理者である企業で設定した基準など、各部門で管理するデータの基準値に関する基準値データを複数記憶する。この基準値記憶領域１８３は、データ記憶領域１８１に記憶される記録情報に対応し、データの基準となる閾値と、この閾値の対象となるデータの内容に関する特性情報と、サーバ識別情報と、業務内容情報と、を１つの基準値データとして複数記録するテーブル構造に構築されている。この基準値記憶領域１８３は、図示しない設定入力フォームに基づいて操作手段１６０からの設定入力により基準値データを生成して記憶し構築する構成の他、ネットワーク１１０を介してサーバ装置１３０に記憶された基準値データを取得して記憶し構築する構成などしてもよい。なお、閾値としては、上限値のみ、あるいは下限値のみ、もしくは上下限値を有した範囲など、基準の内容に応じた閾値として記録される。
また、記憶手段１８０には、運用管理システム１００全体を動作制御するＯＳ（Operating System）上に展開される各種プログラムなどをも記憶している。さらに、記憶手段１８０は、演算手段１９０が演算の際に処理する信号を一時的に記憶可能、すなわちメモリとしても機能する。
【００２５】
演算手段１９０は、各種サーバ装置１３０から取得した各種データを端末装置１２０でも閲覧可能に適宜処理する。この演算手段１９０は、例えばＣＰＵ（central processing unit）を備え、図示しない各種入出力ポートである、通信手段１５０が接続される通信ポート、操作手段１６０が接続される入力ポート、表示手段１７０が接続される表示制御ポート、記憶手段１８０が接続される記憶ポートなどを有している。
そして、演算手段１９０は、各種プログラムとして、計時手段１９１と、データ要求手段１９２と、データ取得手段１９３と、基準値判断手段１９４と、表示制御手段１９５と、などを備えている。
【００２６】
計時手段１９１は、例えば内部クロックなどの基準パルスに基づいて現在時刻を認識する。
そして、この計時手段１９１は、認識した現在時刻に関する現在時刻情報を適宜出力する。
【００２７】
データ要求手段１９２は、ネットワーク１１０を介してサーバ装置１３０へ蓄積された各種データのうち所定のデータの送信を要求する旨の要求信号を所定時間経過毎に出力する。ここで、要求信号の所定時間毎の出力としては、例えば記憶手段１８０に記憶された図示しないタイムテーブルを用いる方法などが利用できる。
具体的には、一元管理する対象となる要求するデータの特性情報と、そのデータを蓄積するサーバ装置１３０を特定するサーバ識別情報と、データを管理する部門におけるサーバ装置１３０でデータを取得するタイミングに対応した時間間隔、例えば１０分毎、３勤交代制での交代時刻、毎１２時などの要求時間に関する時刻情報とを１つのレコードとして複数記憶するテーブル構造のタイムテーブルを用い、計時手段１９１で計時する現在時刻情報の現在時刻に対応する時刻情報に関連付けられた特性情報を、要求信号と併せて出力する。
【００２８】
データ取得手段１９３は、データ要求手段１９２による要求信号の出力に応じてサーバ装置１３０から送信されるデータに、サーバ装置１３０を特定するサーバ識別情報と業務内容情報とを関連付けて１つの記録情報を生成し、この生成した記録情報をデータ記憶領域１８１へ出力して記憶させる。
具体的には、データ取得手段１９３は、通信手段１５０で受信したデータおよびこのデータに関連付けられた日時情報に、要求情報に含まれる通信手段１５０で認識している通信相手であるサーバ装置１３０のサーバ識別情報および特性情報と、業務内容情報とを１つのレコードとして関連付けた記録情報を生成させ、データ記憶領域１８１に記憶させる。ここで、関連付けられる業務内容情報としては、特性情報と業務内容情報とが紐付けされて記憶手段１８０に記憶されたデータテーブルを用いるなどが例示できる。
【００２９】
基準値判断手段１９４は、データ取得手段１９３で取得したデータを、基準値記憶領域１８３に記憶された基準値データの基準値と比較し、基準値の範囲外か否かを判断する。
具体的には、基準値判断手段１９４は、要求情報に含まれるサーバ識別情報および特性情報に基づいて、基準値記憶領域１８３に記憶する基準値データを検出し、得られた基準値データの閾値と、取得したデータとを比較し、データが基準値データの閾値の範囲外か否かを判断する。
そして、基準値判断手段１９４は、データが基準値データの閾値の範囲外であると判断した場合には、その旨の信号を出力する。例えば、データ記憶領域における記憶された対象のデータを有する記録情報にフラグ情報を１つのレコードとして関連付けて記憶させる処理をする。
【００３０】
表示制御手段１９５は、データの開示要求を認識すると、一覧表示フォームおよび業務カテゴリ別一覧表示フォームなどを用いて、データを表示手段１７０や端末装置１２０の端末表示手段で表示させる制御をする。表示の具体例としては、詳細は後述するが、業務カテゴリにおける代表値のデータを複数一覧表示させる一元管理一覧表示と、業務カテゴリ毎に業務内容に関連するデータを一覧表示させる業務カテゴリ別一覧表示と、データの詳細情報を表示させるデータ詳細表示と、などである。
そして、表示制御手段１９５によるデータの開示要求に対する表示制御としては、一元管理一覧表示の制御が実施される。例えば、操作手段１６０、さらにはネットワーク１１０を介して接続する端末装置１２０におけるデータの開示要求となる運用管理システム１００にログインするための入力操作に対応する開示要求信号であるログインデータを認識すると、メニュー画面となる図２に示すようなウェブブラウザによる画面表示で表示される表示画面である一元管理一覧表示フォーム２００を用いてデータを表示手段１７０や端末表示手段にデータを一覧表示させる処理をする。また、表示制御手段１９５は、基準値判断手段１９４により基準値データの閾値の範囲外であると判断したデータを、閾値の範囲内であるデータを表示させる際の表示形態と異なる表示形態で表示させる制御をする。すなわち、例えば図２に示すように、一元管理一覧表示フォーム２００におけるデータを表示する表示領域の枠部分を、閾値の範囲外のデータを表示させる表示領域のみ赤色などの視認性が高い色で縁取りする状態に表示（図２中の縁取り表示２０４Ａ）させたり、データをバー表示する場合のバー表示領域の色を異なる色で表示（図２中のバー彩り表示２０４Ｂ）させたり、アイコン表示する場合にはアイコンの色を異なる色で表示（図２中のアイコン彩り表示２０４Ｃ）させたりする処理をする。なお、異なる表示形態としては、異なる色のみならず、例えばフラッシング表示など、各種表示形態を適用できる。
【００３１】
ここで、図２に示す一元管理一覧表示フォーム２００には、サーバ装置１３０毎、すなわち製油所の運営をする企業における各部門で管理するデータを一覧表示させるための一覧表示させるためのタグ２０１Ａ〜２０１Ｋが複数設けられている。なお、本実施形態では、１つの製油所１０１についてのデータの一元管理の構成を例示するが、複数の製油所１０１、例えば北海道や京浜、中京など、地域毎に複数の処理装置が存在する場合などには、製油所毎にタグ２０１を設けてもよい。すなわち、タグ２０１を操作手段や端末操作手段にて選択する入力操作により、図２に示す一元管理一覧表示フォーム２００の表示画面が表示されるようになっている。また、図２には、新たに設定される一元管理の対象となる部門を追加可能な予備のタグである「変換ビュー３」、「新規ビュー」などを示すが、これらは無くてもよい。
さらに、一元管理一覧表示フォーム２００には、タグ２０１に対応して部門別で管理するデータを一覧表示させるための部門別一覧表示をするためのリストボックス２０２が設けられている。また、一元管理一覧表示フォーム２００には、一元管理する業務内容毎、すなわち業務カテゴリ毎に代表値のデータを表示させる表示領域２０４を有した業務カテゴリ表示領域２０３Ａ〜２０３Ｌを複数表示する業務カテゴリ表示領域２０３が設けられている。なお、表示領域２０４としては、いわゆるテキストボックスのように数値や文字を表示するものや、グラフ表示、アイコン表示するなど、各種表示形態が適宜採用される。そして、グラフ表示やアイコン表示などの場合、表示制御手段１９５は、データに基づいてグラフ表示やアイコン表示のためにデータ変換するなどが例示できる。そして、タグ２０１、リストボックス２０２、業務カテゴリ表示領域２０３Ａ〜２０３Ｌおよび各表示領域２０４は、操作手段１６０や端末操作手段による入力操作により適宜選択可能に構成されている。
【００３２】
また、表示制御手段１９５による業務カテゴリ別一覧表示としては、一元管理一覧表示フォーム２００の業務カテゴリ表示領域２０３Ａ〜２０３Ｌの入力操作に応じて対応する業務カテゴリ別一覧表示フォームを用いて、業務内容に関連するデータを一覧表示させる。
具体的には、一元管理一覧表示フォーム２００の業務カテゴリ表示領域２０３Ａの選択により、図３に示すようなウェブブラウザによる画面表示で表示される表示画面である業務カテゴリ別一覧表示フォームとしての安全管理一覧フォーム２１０を表示させる。この安全管理一覧フォーム２１０は、部門の一つである安全管理部門で管理するデータを一覧表示させるフォームでもある安全管理の業務カテゴリに関するデータを一覧表示させる表示画面である。なお、この安全管理一覧フォーム２１０は、タグ２０１Ｇの選択操作でも表示可能に紐付けられている。
同様に、業務カテゴリ表示領域２０３Ｂの選択により、図８に示すようなウェブブラウザによる画面表示で表示される表示画面である業務カテゴリ別一覧表示フォームとしての環境管理一覧フォーム２２０が表示される。この環境管理一覧フォーム２２０は、部門の一つである環境管理部門で管理するデータを一覧表示させるフォームでもある環境管理の業務カテゴリに関するデータを一覧表示させる表示画面である。なお、この環境管理一覧フォーム２２０は、タグ２０１Ｈの選択操作でも表示可能に紐付けられている。
また、業務カテゴリ表示領域２０３Ｃの選択により、図１２に示すようなウェブブラウザによる画面表示で表示される表示画面である業務カテゴリ別一覧表示フォームとしての品質管理一覧フォーム２３０が表示される。この品質管理一覧フォーム２３０は、部門の一つである品質管理部門で管理するデータを一覧表示させるフォームでもある品質管理の業務カテゴリに関するデータを一覧表示させる表示画面である。なお、この品質管理一覧フォーム２３０は、タグ２０１Ｆの選択操作でも表示可能に紐付けられている。
さらに、業務カテゴリ表示領域２０３Ｅの選択により、図１６に示すようなウェブブラウザによる画面表示で表示される表示画面である業務カテゴリ別一覧表示フォームとしての生産管理一覧フォーム２４０が表示される。この生産管理一覧フォーム２４０は、部門の一つである生産管理部門で管理するデータを一覧表示させるフォームでもある生産管理の業務カテゴリに関するデータを一覧表示させる表示画面である。なお、この生産管理一覧フォーム２４０は、タグ２０１Ａの選択操作でも表示可能に紐付けられている。
そして、業務カテゴリ表示領域２０３Ｆの選択により、図２４に示すようなウェブブラウザによる画面表示で表示される表示画面である業務カテゴリ別一覧表示フォームとしての用役管理一覧フォーム２５０が表示される。この用役管理一覧フォーム２５０は、部門の一つである用役管理部門で管理するデータを一覧表示させるフォームでもある用役管理の業務カテゴリに関するデータを一覧表示させる表示画面である。なお、この用役管理一覧フォーム２４０は、タグ２０１Ｅの選択操作でも表示可能に紐付けられている。
また、業務カテゴリ表示領域２０３Ｇの選択により、図３４および図３５に示すようなウェブブラウザによる画面表示で表示される表示画面である業務カテゴリ別一覧表示フォームとしての工事リスト一覧フォーム２７９Ａ，２７９Ｂが表示される。これら工事リスト一覧フォーム２７９Ａ，２７９Ｂは、部門の一つである設備管理部門で管理する一部の業務カテゴリである処理装置の保守管理のための工事に関するデータを一覧表示させる表示画面である。なお、工事リスト一覧フォーム２７９Ａは工事コストについて一覧表示した表示画面で、工事リスト一覧フォーム２７９Ｂは工事スケジュールについて一覧表示した表示画面である。
さらに、業務カテゴリ表示領域２０３Ｈの選択により、図２７に示すようなウェブブラウザによる画面表示で表示される表示画面である業務カテゴリ別一覧表示フォームとしての設備管理一覧フォーム２７０が表示される。この設備管理一覧フォーム２７０は、部門の一つである設備管理部門で管理するデータを一覧表示させるフォームでもある設備管理の業務カテゴリに関するデータを一覧表示させる表示画面である。なお、この設備管理一覧フォーム２７０は、タグ２０１Ｉの選択操作でも表示可能に紐付けられている。
また、業務カテゴリ表示領域２０３Ｉの選択により、図３７に示すようなウェブブラウザによる画面表示で表示される表示画面である業務カテゴリ別一覧表示フォームとしての高度制御一覧フォーム２８０が表示される。この高度制御一覧フォーム２８０は、部門の一つの高度制御部門で管理するデータを一覧表示させるフォームでもある高度制御の業務カテゴリに関するデータを一覧表示させる表示画面である。なお、この高度制御一覧フォーム２８０は、タグ２０１Ｊの選択操作でも表示可能に紐付けられている。
そして、業務カテゴリ表示領域２０３Ｊの選択により、図４８に示すようなウェブブラウザによる画面表示で表示される表示画面である業務カテゴリ別一覧表示フォームとしての課別一覧表示フォーム２９０が表示される。この課別一覧表示フォーム２９０は、品質管理部門で管理する一部の業務カテゴリである各課で管理するデータを一覧表示させるフォームでもある業務カテゴリとしての課毎に関するデータを一覧表示させる表示画面である。
また、業務カテゴリ表示領域２０３Ｋの選択により、図５５および図５６に示すようなウェブブラウザによる画面表示で表示される表示画面である業務カテゴリ別一覧表示フォームとしての在庫管理一覧フォームとなる在庫管理画面２９７Ａ，２９７Ｂが表示される。これら在庫管理画面２９７Ａ，２９７Ｂは、品質管理部門で管理する一部の業務カテゴリである各課で管理するデータで、在庫管理に関するデータを一覧表示させる。
【００３３】
そして、図３に示す安全管理一覧フォーム２１０は、業務内容の１つである安全管理部門で管理するデータを一覧表示させる。この安全管理一覧フォーム２１０は、一元管理一覧表示フォーム２００の業務カテゴリ表示領域２０３Ａの選択により表示されるとともに、タグ２０１Ｇの選択でも表示される。
この安全管理一覧フォーム２１０には、一元管理一覧表示フォーム２００と同様に、複数のタグ２０１Ａ〜２０１Ｋが設けられているとともに、リストボックス２０２が設けられている。また、安全管理一覧フォーム２１０には、一覧表示するデータの項目毎、すなわち安全管理の業務内容における管理する項目毎にデータを表示させる複数の項目表示領域２１１Ａ〜２１１Ｄが設けられている。これら項目表示領域２１１Ａ〜２１１Ｄは、操作手段１６０や端末操作手段による入力操作により選択可能に構成されている。
また、項目表示領域２１１Ａ〜２１１Ｄには、データを表示させる表示領域２１２がそれぞれ設けられている。これら表示領域２１２は、一元管理一覧表示フォーム２００の表示領域２０４と同様に、基準値判断手段１９４による判断に基づいて、異なる色で縁取りする状態に表示（図３中の縁取り表示２１２Ａ）させたり、データをバー表示する場合のバー表示領域の色を異なる色で表示させたり、アイコン表示する場合にはアイコンの色を異なる色で表示させたり、表示を閲覧している利用者に注意を喚起させるアイコンを隣接して表示させたり、データの数値を異なる色で表示させたりする処理をする。
そして、項目表示領域２１１Ａで表示させる表示領域２１２のデータの一部が、一元管理一覧表示フォーム２００の業務カテゴリ表示領域２０３Ａに代表値として表示される。すなわち、一元管理一覧表示フォーム２００の業務カテゴリ表示領域２０３Ａの表示領域２０４と表示領域２１２とが関連付けられている。
さらに、設定入力により、表示制御手段１９５は、所定のデータ詳細表示用のフォームを用いて、その選択された項目におけるデータの詳細情報を表示させるデータ詳細表示、例えば図４に示すようなウェブブラウザによる画面表示で表示される表示画面であるデータ詳細画面２１３を表示させる。このデータ詳細画面２１３は、各課における無災害労働時間をグラフ表示させたものである。このグラフ表示には、基準値データの閾値に対応する閾値表示２１３Ａも併せて表示される。
また、設定入力により、表示制御手段１９５は、所定のデータ詳細表示用のフォームを用いて、その選択された項目におけるデータの詳細情報を表示させるデータ詳細表示、例えば図５に示すようなウェブブラウザによる画面表示で表示される表示画面であるデータ詳細画面２１４を表示させる。このデータ詳細画面２１４は、ヒヤリハットの事例を詳細に示すもので、データとして取得した事例のテキストデータを表示させる。
そして、項目表示領域２１１Ｂが選択されると、表示制御手段１９５は、所定のデータ詳細表示用のフォームを用いて、選択された項目であるヒヤリハット件数におけるデータの詳細情報を表示させるデータ詳細表示、例えば図６に示すようなウェブブラウザによる画面表示で表示される表示画面であるデータ詳細画面２１５を表示させる。このデータ詳細画面２１５は、項目表示領域２１１Ｂの項目内容であるヒヤリハット件数についての詳細な一覧表示、すなわち、図５に示すデータ詳細画面２１４のデータを一覧表示させたものである。
さらに、項目表示領域２１１Ｄが選択されると、表示制御手段１９５は、所定のデータ詳細表示用のフォームを用いて、選択された項目であるヒヤリハット分析におけるデータの詳細情報を表示させるデータ詳細表示、例えば図７に示すようなウェブブラウザによる画面表示で表示される表示画面であるデータ詳細画面２１６を表示させる。このデータ詳細外面２１６は、項目表示領域２１１Ｄの項目内容であるヒヤリハット分析についての詳細な分析用のグラフ一覧表示させたものである。
【００３４】
また、図８に示す環境管理一覧フォーム２２０は、業務内容の１つである環境管理部門で管理するデータを一覧表示させる。この環境管理一覧フォーム２２０は、一元管理一覧表示フォーム２００の業務カテゴリ表示領域２０３Ｂの選択により表示されるとともに、タグ２０１Ｈの選択でも表示される。
この環境管理一覧フォーム２２０には、一元管理一覧表示フォーム２００と同様に、複数のタグ２０１Ａ〜２０１Ｋが設けられているとともに、リストボックス２０２が設けられている。また、環境管理一覧フォーム２２０には、環境管理部門の各データを所定の各種表示フォームを用いて、例えば図９に示すようなＣＳＶ（Comma Separated Value）形式により一覧表示させるＣＳＶ一覧表示画面２２１を表示させるための条件を設定するリストボックス２２２およびＣＳＶ一覧表示画面２２１の表示を実行させるコマンドボタン２２３が設けられている。さらに、環境管理一覧フォーム２２０には、一覧表示するデータの項目毎、すなわち環境管理の業務内容における管理する項目毎にデータを表示させる複数の項目表示領域２２４Ａ〜２２４Ｇが設けられている。これら項目表示領域２２４Ａ〜２２４Ｇも同様に、操作手段１６０や端末操作手段による入力操作により選択可能に構成されている。
さらに、項目表示領域２２４Ａ〜２２４Ｇには、データを表示させる表示領域２２５がそれぞれ設けられている。これら表示領域２２５は、一元管理一覧表示フォーム２００の表示領域２０４と同様に、基準値判断手段１９４による判断に基づいて、異なる色で縁取りする状態に表示させたり、データをバー表示する場合のバー表示領域の色を異なる色で表示させたり、アイコン表示する場合にはアイコンの色を異なる色で表示（図８中のアイコン彩り表示２２５Ａ）させたり、表示を閲覧している利用者に注意を喚起させるアイコンを隣接して表示（図８中のアイコン表示２２５Ｂ）させたりする処理をする。
また、項目表示領域２２４Ａ〜２２４Ｇで表示される表示領域２２５のデータの一部が、一元管理一覧表示フォーム２００の業務カテゴリ表示領域２０３Ａに代表値として表示される。すなわち、一元管理一覧表示フォーム２００の業務カテゴリ表示領域２０３Ａの表示領域２０４と表示領域２２５とが関連付けられている。また、グラフ表示される表示領域２２５には、基準値データの閾値に対応する閾値表示２２５Ｃも併せて表示される。
さらに、項目表示領域２２４Ａ〜２２４Ｃのいずれかが選択されると、表示制御手段１９５は、所定のデータ詳細表示用のフォームを用いて、その選択された項目におけるデータの詳細情報を表示させるデータ詳細表示、例えば図１０に示すようなウェブブラウザによる画面表示で表示させる表示画面であるデータ詳細画面２２６を表示させる。このデータ詳細画面２２６は、処理装置を模式的に示す図中の対応する位置に、項目の内容である排ガスのデータが表示されたものである。
また、項目表示領域２２４Ｇが選択されると、表示制御手段１９５は、所定のデータ詳細表示用のフォームを用いて、その選択された項目におけるデータの詳細を表示させるデータ詳細表示、例えば図１１に示すようなウェブブラウザによる画面表示で表示させる表示画面であるデータ詳細画面２２７を表示させる。このデータ詳細画面２２７は、処理装置の一部を模式的に示すフロー図中の対応する位置に、項目の内容である用水および排水のデータが表示されたものである。
【００３５】
さらに、図１２に示す品質管理一覧フォーム２３０は、業務内容の１つである品質管理部門で管理するデータを一覧表示させる。この品質管理一覧フォーム２３０は、一元管理一覧表示フォーム２００の業務カテゴリ表示領域２０３Ｃの選択により表示されるとともに、タグ２０１Ｆの選択でも表示される。
この品質管理一覧フォーム２３０には、一元管理一覧表示フォーム２００と同様に、複数のタグ２０１Ａ〜２０１Ｋが設けられているとともに、リストボックス２０２が設けられている。また、品質管理一覧フォーム２３０には、一覧表示するデータの項目毎、すなわち品質管理の業務内容における管理する項目毎にデータを表示させる複数の項目表示領域２３１Ａ〜２３１Ｃが設けられている。これら項目表示領域２３１Ａ〜２３１Ｃも同様に、操作手段１６０や端末操作手段による入力操作により選択可能に構成されている。
そして、項目表示領域２３１Ａ〜２３１Ｃには、データを表示させる表示領域２３２がそれぞれ設けられている。これら表示領域２３２は、一元管理一覧表示フォーム２００の表示領域２０４と同様に、基準値判断手段１９４による判断に基づいて、異なる色で縁取りする状態に表示（図１２中の縁取り表示２３２Ａ）させたり、データをバー表示する場合のバー表示領域の色を異なる色で表示させたり、アイコン表示する場合には、アイコンの色を異なる色で表示させたり、表示を閲覧している利用者に注意を喚起させるアイコンを隣接して表示させたりする処理をする。また、グラフ表示される表示領域２３２には、基準値データの閾値に対応する閾値表示２３２Ｂも併せて表示される。
さらに、項目表示領域２３１Ａには、所定のデータ詳細表示用のフォームを用いて、この項目表示領域２３１Ａの一覧表示するデータについて、例えば図１３に示すようなウェブブラウザによる画面表示で表示される表示画面であるヒストグラムを表示するデータ詳細画面２３３を表示させるコマンドボタン２３４が設けられている。また、項目表示領域２３１Ａの一覧表示される各項目は、操作手段１６０や端末操作手段による入力操作にて選択可能に構成されている。そして、一覧表示される表示領域２３２のいずれかの項目を選択することにより、詳細は後述するように、業務カテゴリ別一覧表示であり、タグ２０１Ｄの選択操作および一元管理一覧表示フォーム２００の業務カテゴリ表示領域２０３Ｊの選択操作により表示されるオフサイト管理である課別一覧表示フォーム２９０が表示される。さらに、一覧表示される表示領域２３２の項目における「ＬＡＢ値」の項目の選択により、表示制御手段１９５は、例えば図１４に示すようなウェブブラウザによる画面表示で表示される表示画面であるデータ詳細表示の品質管理結果一覧表示画面２３４を表示させる。この品質管理結果一覧表示画面２３４は、品質管理のための分析結果などの各データを一覧表示する項目表示領域２３４Ａが設けられている。
また、項目表示領域２３１Ｂで表示される表示領域２３２の一部が、一元管理一覧表示フォーム２００の業務カテゴリ表示領域２０３Ａに代表値として表示される。すなわち、一元管理一覧表示フォーム２００の業務カテゴリ表示領域２０３Ａの表示領域２０４と項目表示領域２３１Ｂの表示領域２３２とが関連付けられている。
さらに、項目表示領域２３１Ｃで一覧表示される表示領域２３２の各項目は、操作手段１６０や端末操作手段による入力操作にて選択可能に構成されている。そして、一覧表示される表示領域２３２のいずれかの項目を選択することにより、例えば図１５に示すようなウェブブラウザによる画面表示で表示される表示画面であるデータ詳細表示の分析計管理一覧表示画面２３５が表示される。この分析計管理一覧表示画面２３５は、分析計にて分析した各データを項目表示領域２３１Ｂに対応して一覧表示する項目表示領域２３５Ａと、この項目表示領域２３５Ａに一覧表示される各データのトレンドチャートを示す項目表示領域２３５Ｂとを有する。
【００３６】
そして、図１６に示す生産管理一覧フォーム２４０は、業務内容の１つである生産管理部門で管理するデータを一覧表示させる。この生産管理一覧フォーム２４０は、一元管理一覧表示フォーム２００の業務カテゴリ表示領域２０３Ｅの選択により表示されるとともに、タグ２０１Ａの選択でも表示される。
この生産管理一覧フォーム２４０には、一元管理一覧表示フォーム２００と同様に、複数のタグ２０１Ａ〜２０１Ｋが設けられているとともに、リストボックス２０２が設けられている。また、生産管理一覧フォーム２４０には、生産管理部門の業務内容における管理する各データを所定の各種表示フォームを用いて、例えば図１７に示すようなＣＳＶ（Comma Separated Value）形式により一覧表示させるＣＳＶ一覧表示画面２４１を表示させるための条件を設定するリストボックス２４２およびＣＳＶ一覧表示画面２４１の表示を実行させるコマンドボタン２４３が設けられている。さらに、生産管理一覧フォーム２４０には、一覧表示するデータの項目毎、すなわち生産管理の業務内容における管理する項目毎にデータを表示させる複数の項目表示領域２４４Ａ，２４４Ｂが設けられている。これら項目表示領域２４４Ａ，２４４Ｂは、操作手段１６０や端末操作手段による入力操作により選択可能に構成されている。
また、項目表示領域２４４Ａ，２４４Ｂには、データを表示させる表示領域２４５がそれぞれ設けられている。これら表示領域２４５は、一元管理一覧表示フォーム２００の表示領域２０４と同様に、基準値判断手段１９４による判断に基づいて、異なる色で縁取りする状態に表示させたり、データをバー表示する場合のバー表示領域の色を異なる色で表示させたり、アイコン表示する場合にはアイコンの色を異なる色で表示（図１６中のアイコン彩り表示２４５Ａ）させたり、表示を閲覧している利用者に注意を喚起させるアイコンを隣接して表示（図１６中のアイコン表示２４５Ｂ）させたり、データの数値を異なる色で表示（図１６中の数値色表示２４５Ｃ）させたりする処理をする。また、グラフ表示される表示領域２４５には、基準値データの閾値に対応する閾値表示２４５Ｄも併せて表示される。
さらに、項目表示領域２４４Ａで一覧表示される表示領域２４５の一部が、一元管理一覧表示フォーム２００の業務カテゴリ表示領域２０３Ａに代表値として表示される。すなわち、一元管理一覧表示フォーム２００の業務カテゴリ表示領域２０３Ａの表示領域２０４と項目表示領域２４４Ａの表示領域２４５とが関連付けられている。また、項目表示領域２４４Ａで一覧表示される表示領域２４５は、操作手段１６０や端末操作手段による入力操作にて選択可能に構成されている。そして、一覧表示される表示領域２４５のいずれかの項目を選択することにより、例えば図１８に示すようなウェブブラウザによる画面表示で表示される表示画面の業務カテゴリ別一覧表示であり、例えばタグ２０１Ｂの選択操作により表示されるオンサイト管理である課別管理一覧フォーム２４６が表示される。
【００３７】
この課別管理一覧フォーム２４６には、一元管理一覧表示フォーム２００と同様に、複数のタグ２０１Ａ〜２０１Ｋおよびリストボックス２０２が設けられているとともに、生産管理一覧フォーム２４０と同様のリストボックス２４２およびコマンドボタン２４３が設けられている。また、課別管理一覧フォーム２４６には、タグ検索のためのリストボックス２４６Ａが設けられている。このリストボックス２４６Ａの選択により、例えば図１９に示すようなウェブブラウザによる画面表示で表示される表示画面であるタグ検索画面２４６Ａ１が表示される。さらに、課別管理一覧フォーム２４６には、課で管理する業務内容の１つである運転日報を表示させる日報リストボックス２４６Ｂが設けられている。この日報リストボックス２４６Ｂが選択されることで、例えば図２０に示すようなウェブブラウザによる画面表示で表示される表示画面であるデータ詳細表示の運転日報画面２４６Ｂ１を表示させる。
また、課別管理一覧フォーム２４６には、一覧表示するデータの項目毎、すなわち課管理の業務内容における管理する項目毎にデータを表示させる複数の項目表示領域２４６Ｃ１〜２４６Ｃ９が設けられている。これら項目表示領域２４６Ｃ１〜２４６Ｃ９は、操作手段１６０や端末操作手段による入力操作により選択可能に構成されている。そして、項目表示領域２４６Ｃ１〜２４６Ｃ９には、データを表示させる表示領域２４６Ｄがそれぞれ設けられている。これら表示領域２４６Ｄは、一元管理一覧表示フォーム２００の表示領域２０４と同様に、基準値判断手段１９４による判断に基づいて、異なる色で縁取りする状態に表示（図１８中の縁取り表示２４６Ｄ１）させたり、データをバー表示する場合のバー表示領域の色を異なる色で表示させたり、アイコン表示する場合には、アイコンの色を異なる色で表示させたり、表示を閲覧している利用者に注意を喚起させるアイコンを隣接して表示（図１８中のアイコン表示２４６Ｄ２）させたりする処理をする。また、グラフ表示される表示領域２４６Ｄには、基準値データの閾値に対応する閾値表示２４６Ｄ３も併せて表示される。
そして、項目表示領域２４６Ｃ１およびこの領域内の表示領域２４６Ｄは、操作手段１６０や端末操作手段による入力操作にて選択可能に構成されている。そして、これらが選択されることにより表示制御手段１９５にて図３に示すような安全管理一覧フォーム２１０が表示される状態に、紐付けられている。
また、項目表示領域２４６Ｃ２およびこの領域内の表示領域２４６Ｄは、操作手段１６０や端末操作手段による入力操作にて選択可能に構成されている。そして、これらが選択されることにより表示制御手段１９５にて図８に示すような環境管理一覧フォーム２２０が表示される状態に、紐付けられている。
さらに、項目表示領域２４６Ｃ３およびこの領域内の表示領域２４６Ｄは、操作手段１６０や端末操作手段による入力操作にて選択可能に構成されている。そして、これらが選択されることにより表示制御手段１９５にて図２７に示すような設備管理一覧フォーム２７０が表示される状態に、紐付けられている。
また、項目表示領域２４６Ｃ４およびこの領域内の表示領域２４６Ｄは、操作手段１６０や端末操作手段による入力操作にて選択可能に構成されている。そして、これらが選択されることにより表示制御手段１９５にて図３７に示すような高度制御一覧フォーム２８０が表示される状態に、紐付けられている。
さらに、項目表示領域２４６Ｃ７およびこの領域内の表示領域２４６Ｄは、操作手段１６０や端末操作手段による入力操作にて選択可能に構成されている。そして、これらが選択されることにより表示制御手段１９５にて図１２に示すような品質管理一覧フォーム２３０が表示される状態に、紐付けられている。
そして、項目表示領域２４６Ｃ８およびこの領域内の表示領域２４６Ｄは、操作手段１６０や端末操作手段による入力操作にて選択可能に構成されている。そして、これらが選択されることにより表示制御手段１９５にて図２４示すような用役管理一覧フォーム２５０が表示される状態に、紐付けられている。
【００３８】
また、課別管理一覧フォーム２４６の項目表示領域２４６Ｃ５およびこの領域内の表示領域２４６Ｄは、操作手段１６０や端末操作手段による入力操作にて選択可能に構成されている。そして、これらが選択されることにより、表示制御手段１９５は、例えば図２１に示すようなウェブブラウザによる画面表示で表示されるデータ詳細表示の装置一覧フォーム２４６Ｅを表示させる。
この装置一覧フォーム２４６Ｅは、処理装置を構成する各部位である構成装置の詳細なデータを表示するもので、その構成装置の運転状態や設備管理状態、品質管理結果などのデータを表示する表示領域２４６Ｅ６Ａを複数有しデータを一覧表示する項目表示領域２４６Ｅ１〜２４６Ｅ５を有するとともに、項目の内容である運転状態の計測データが対応する位置に表示される表示領域２４６Ｅ６Ａが設けられ処理装置を構成する部位である構成装置の模式的な図を表示する項目表示領域２４６Ｅ６を有している。なお、表示領域２４６Ｅ６Ａは、同様に、基準値判断手段１９４による判断に基づいて、異なる色で縁取りする状態に表示させたり、データをバー表示する場合のバー表示領域の色を異なる色で表示させたり、アイコン表示する場合にはアイコンの色を異なる色で表示させたり、表示を閲覧している利用者に注意を喚起させるアイコンを隣接して表示（図２１中のアイコン表示２４６Ｅ６Ｂ）させたり、データの数値を異なる色で表示させたりする処理をする。また、グラフ表示される表示領域２４６Ｅ６Ａには、基準値データの閾値に対応する閾値表示２４６Ｅ６Ｃも併せて表示される。さらに、装置一覧フォーム２４６Ｅには、処理装置を構成する他の部位である構成装置の詳細なデータを表示する図示しない他の表示フォームを表示させる構成装置表示タグ２４６Ｅ７が複数設けられている。
なお、図２１は、処理装置を構成する部位である常圧上流装置についてのデータを一覧表示する例を示す。
また、この装置一覧フォーム２４６Ｅの項目表示領域２４６Ｅ６は、操作手段１６０や端末操作手段による入力操作にて選択可能に構成されている。そして、これらが選択されることにより、表示制御手段１９５は、例えば図２２に示すようなウェブブラウザによる画面表示で表示されるデータ詳細表示の装置詳細図フォーム２４６Ｆを表示させる。この装置詳細図フォーム２４６Ｆは、その構成装置におけるさらなる詳細な模式的な構成図を表示する詳細構成図表示領域２４６Ｆ１を有している。そして、この装置詳細図フォーム２４６Ｆは、詳細構成図表示領域２４６Ｆ１中に表示される構成図中に対応する位置に運転状態の計測データが表示される表示領域２４６Ｆ２を設けたものである。また、この装置詳細図フォーム２４６Ｆには、この装置詳細図フォーム２４６Ｆに対応し、他の部位における詳細な模式的な構成図を示す図示しない他の表示フォームを表示させる構成装置詳細表示タグ２４６Ｆ３が複数設けられている。
さらに、装置一覧フォーム２４６Ｅ５は、操作手段１６０や端末操作手段による入力操作にて選択可能に構成されている。そして、これらが選択されることにより、表示手段１９５は、例えば図２３に示すようなウェブブラウザによる画面表示で表示されるデータ詳細表示の目標値一覧表示フォーム２４６Ｇを表示させる。この目標値一覧表示フォーム２４６Ｇは、基準値を設定して基準値データを生成させるフォームである。この目標値一覧表示フォーム２４６Ｇには、データの基準となる閾値と、この閾値の対象となるデータの内容に関する特性情報と、サーバ識別情報と、業務内容情報と、などをそれぞれ入力するリストボックス２４６Ｇ１〜２４６Ｇ７が設けられている。また、目標値一覧表示フォーム２４６Ｇには、リストボックス２４６Ｇ１〜２４６Ｇ７で設定入力されて生成された基準値データを一覧表示する基準値一覧表示領域２４６Ｇ８を有している。なお、この目標値一覧表示フォーム２４６Ｇは、タグ２０１Ｋの選択操作により表示可能に紐付けられている。
【００３９】
そして、図２４に示す用役管理一覧フォーム２５０は、業務内容の１つである用役管理部門で管理するデータを一覧表示させる。この用役管理一覧フォーム２５０は、一元管理一覧表示フォーム２００の業務カテゴリ表示領域２０３Ｆの選択により表示されるとともに、タグ２０１Ｅの選択でも表示される。
用役管理一覧フォーム２５０には、一元管理一覧表示フォーム２００と同様に、複数のタグ２０１Ａ〜２０１Ｋが設けられているとともに、リストボックス２０２が設けられている。また、用役管理一覧フォーム２５０には、用役管理部門の業務内容における管理する各データを所定の各種表示フォームを用いて、例えば図２５に示すようなＣＳＶ（Comma Separated Value）形式により一覧表示させるＣＳＶ一覧表示画面２５１を表示させるための条件を設定するリストボックス２５２およびＣＳＶ一覧表示画面２５１の表示を実行させるコマンドボタン２５３が設けられている。さらに、用役管理一覧フォーム２５０には、一覧表示するデータの項目毎、すなわち用役管理の業務内容における管理する項目毎にデータを表示させる複数の項目表示領域２５４Ａ〜２５４Ｈが設けられている。これら項目表示領域２５４Ａ〜２５４Ｈは、操作手段１６０や端末操作手段による入力操作により選択可能に構成されている。
また、項目表示領域２５４Ａ〜２５４Ｈには、データを表示させる表示領域２５５がそれぞれ設けられている。これら表示領域２５５は、一元管理一覧表示フォーム２００の表示領域２０４と同様に、基準値判断手段１９４による判断に基づいて、異なる色で縁取りする状態に表示させたり、データをバー表示する場合のバー表示領域の色を異なる色で表示させたり、アイコン表示する場合にはアイコンの色を異なる色で表示させたり、表示を閲覧している利用者に注意を喚起させるアイコンを隣接して表示（図２４中のアイコン表示２５５Ａ）させたり、データの数値を異なる色で表示させたりする処理をする。また、グラフ表示される表示領域２５５には、基準値データの閾値に対応する閾値表示２５５Ｂも併せて表示される。
さらに、項目表示領域２５４Ａ〜２５４Ｈで一覧表示される表示領域２５５の一部が、一元管理一覧表示フォーム２００の業務カテゴリ表示領域２０３Ａに代表値として表示される。すなわち、一元管理一覧表示フォーム２００の業務カテゴリ表示領域２０３Ａの表示領域２０４と項目表示領域２５４Ａ〜２５４Ｈの表示領域２５５とが関連付けられている。また、項目表示領域２５４Ａ〜２５４Ｈおよびこれらの領域に表示される表示領域２５５は、操作手段１６０や端末操作手段による入力操作にて選択可能に構成されている。そして、これらの選択操作により、表示制御手段１９５は、各項目毎におけるデータを一覧表示させるデータ詳細表示、例えば図２６に示すようなウェブブラウザによる画面表示で表示される表示画面である用役詳細一覧フォーム２５６を表示させる。
この用役詳細一覧フォーム２５６には、一元管理一覧表示フォーム２００と同様に、複数のタグ２０１Ａ〜２０１Ｋが設けられているとともに、リストボックス２０２が設けられている。また、用役詳細一覧フォーム２５６には、用役管理する計測データが表示される表示領域２５６Ａ１が対応する位置に設けられ用役管理する処理装置の部位を模式的に示す構成図を表示する詳細構成表示領域２５６Ａが設けられている。
なお、図２６は、項目表示領域２５４Ｄまたはこの領域の表示領域２５５が選択された際に表示される用役詳細一覧フォーム２５６を示す。そして、他の項目表示領域２５４Ａ〜２５４Ｃ，２５４Ｅ〜２５４Ｈが選択された場合には、管理する用役の項目毎にそれぞれの用役詳細一覧フォームが表示される。
【００４０】
また、図２７に示す設備管理一覧フォーム２７０は、業務内容の１つである設備管理部門で管理するデータを一覧表示させる。この設備管理一覧フォーム２７０は、一元管理一覧表示フォーム２００の業務カテゴリ表示領域２０３Ｈの選択により表示されるとともに、タグ２０１Ｉの選択でも表示される。
この設備管理一覧フォーム２７０には、一元管理一覧表示フォーム２００と同様に、複数のタグ２０１Ａ〜２０１Ｋおよびリストボックス２０２が設けられている。さらに、設備管理一覧フォーム２７０には、設備管理部門で管理する業務内容における管理する項目毎にデータを表示させる複数の項目表示領域２７１Ａ〜２７１Ｅが設けられている。
そして、これら項目表示領域２７１Ａ〜２７１Ｅは、操作手段１６０や端末操作手段による入力操作により選択可能に構成されている。これら項目表示領域２７１Ａ〜２７１Ｅには、データを表示させる表示領域２７２がそれぞれ設けられている。これら表示領域２７２は、一元管理一覧表示フォーム２００の表示領域２０４と同様に、基準値判断手段１９４による判断に基づいて、異なる色で縁取りする状態に表示（図２７中の縁取り表示２７２Ａ）させたり、データをバー表示する場合のバー表示領域の色を異なる色で表示させたり、アイコン表示する場合には、アイコンの色を異なる色で表示させたり、表示を閲覧している利用者に注意を喚起させるアイコンを隣接して表示させたり、データの数値を異なる色で表示させたりする処理をする。
また、項目表示領域２７１Ａ〜２７１Ｅで一覧表示される表示領域２７２の一部が、一元管理一覧表示フォーム２００の業務カテゴリ表示領域２０３Ａに代表値として表示される。すなわち、一元管理一覧表示フォーム２００の業務カテゴリ表示領域２０３Ａの表示領域２０４と項目表示領域２７１Ａ〜２７１Ｅの表示領域２７２とが関連付けられている。
さらに、設備管理一覧フォーム２７０には、設備管理部門で管理する１つの業務内容である保全費内訳に関するデータを一覧表示させる保全費内訳コマンドボタン２７３Ａと、設備管理部門で管理する１つの業務内容である日常保全費分析に関するデータを一覧表示させる日常保全費分析コマンドボタン２７３Ｂと、設備管理部門で管理する１つの業務内容である機器の寿命などの機器信頼性分析に関するデータを一覧表示させる機器信頼性分析コマンドボタン２７３Ｃが設けられている。
【００４１】
そして、保全費内訳コマンドボタン２７３Ａが入力操作されると、表示制御手段１９５は、例えば図２８に示すようなウェブブラウザによる画面表示で表示される業務カテゴリ別一覧表示の保全費内訳一覧表示フォーム２７４を表示させる。この保全費内訳一覧表示フォーム２７４は、保全費の課別の内訳一覧である。
この保全費内訳一覧表示フォーム２７４には、一元管理一覧表示フォーム２００と同様に、複数のタグ２０１Ａ〜２０１Ｋおよびリストボックス２０２が設けられているとともに、設備管理一覧フォーム２７０の日常保全費分析コマンドボタン２７３Ｂと、設備管理部門で管理する１つの業務内容である保全費のデータを多次元、すなわち保全費に関するデータを各項目で分類して一覧表示させる保全費多次元分析コマンドボタン２７３Ｄとが設けられている。
また、保全費内訳一覧表示フォーム２７４には、一覧表示するデータの項目毎、すなわち設備管理部門の業務内容における管理する保全費に関する項目毎にデータを表示させる複数の項目表示領域２７４Ａ〜２７４Ｃが設けられている。これら項目表示領域２７４Ａ〜２７４Ｃは、操作手段１６０や端末操作手段による入力操作により選択可能に構成されている。項目表示領域２７４Ａ〜２７４Ｃには、データを表示させる表示領域２７４Ｄがそれぞれ設けられている。これら表示領域２７４Ｄは、一元管理一覧表示フォーム２００の表示領域２０４と同様に、基準値判断手段１９４による判断に基づいて、異なる色で縁取りする状態に表示させたり、データをバー表示する場合のバー表示領域の色を異なる色で表示させたり、アイコン表示する場合にはアイコンの色を異なる色で表示させたり、表示を閲覧している利用者に注意を喚起させるアイコンを隣接して表示（図２８中のアイコン表示２７３Ｄ１）させたり、データの数値を異なる色で表示させたりする処理をする。
【００４２】
また、設備管理一覧フォーム２７０および保全費内訳一覧表示フォーム２７４の日常保全費分析コマンドボタン２７３Ｂが入力操作されると、表示制御手段１９５は、例えば図２９に示すようなウェブブラウザによる画面表示で表示される業務カテゴリ別一覧表示の日常保全費分析一覧表示フォーム２７５を表示させる。この日常保全費分析一覧表示フォーム２７５は、日常の保全費に関するデータを一覧表示する。
この日常保全費分析一覧表示フォーム２７５には、一元管理一覧表示フォーム２００と同様に複数のタグ２０１Ａ〜２０１Ｋおよびリストボックス２０２が設けられているとともに、設備管理部門で管理する業務内容の１つである工事に関するデータを一覧表示させる工事リストコマンドボタン２７５Ａが設けられている。
また、日常保全費分析一覧表示フォーム２７５には、一覧表示するデータの項目毎、すなわち設備管理部門の業務内容における管理する日常的な保全に関する項目毎にデータを表示させる複数の項目表示領域２７５Ｂ，２７５Ｃが設けられている。これら項目表示領域２７５Ｂ，２７５Ｃは、操作手段１６０や端末操作手段による入力操作により選択可能に構成されている。そして、これら項目表示領域２７５Ｂ，２７５Ｃには、データを表示させる表示領域２７５Ｄがそれぞれ設けられている。これら表示領域２７５Ｄは、一元管理一覧表示フォーム２００の表示領域２０４と同様に、基準値判断手段１９４による判断に基づいて、異なる色で縁取りする状態に表示させたり、データをバー表示する場合のバー表示領域の色を異なる色で表示させたり、アイコン表示する場合にはアイコンの色を異なる色で表示させたり、表示を閲覧している利用者に注意を喚起させるアイコンを隣接して表示させたり、データの数値を異なる色で表示させたりする処理をする。
【００４３】
さらに、設備管理一覧フォーム２７０の機器信頼性分析コマンドボタン２７３Ｃが入力操作されると、表示制御手段１９５は、例えば図３０に示すようなウェブブラウザによる画面表示で表示される業務カテゴリ別一覧表示の機器信頼分析一覧表示フォーム２７６を表示させる。この機器信頼分析一覧表示フォーム２７６には、一元管理一覧表示フォーム２００と同様に複数のタグ２０１Ａ〜２０１Ｋおよびリストボックス２０２が設けられている。
また、機器信頼分析一覧表示２７６には、一覧表示するデータの項目毎、すなわち設備管理部門の業務内容の１つである機器信頼性分析に関する項目毎にデータを表示させる複数の項目表示領域２７６Ａ〜２７６Ｃが設けられている。これら項目表示領域２７６Ａ〜２７６Ｃは、操作手段１６０や端末操作手段による入力操作により選択可能に構成されている。そして、これら項目表示領域２７６Ａ〜２７６Ｃには、データを表示させる表示領域２７６Ｄがそれぞれ設けられている。これら表示領域２７６Ｄは、一元管理一覧表示フォーム２００の表示領域２０４と同様に、基準値判断手段１９４による判断に基づいて、異なる色で縁取りする状態に表示させたり、データをバー表示する場合のバー表示領域の色を異なる色で表示させたり、アイコン表示する場合にはアイコンの色を異なる色で表示させたり、表示を閲覧している利用者に注意を喚起させるアイコンを隣接して表示（図３０中のアイコン表示２７６Ｄ１）させたり、データの数値を異なる色で表示させたりする処理をする。また、グラフ表示される表示領域２７６Ｄには、基準値データの閾値に対応する閾値表示２７６Ｄ２も併せて表示される。
【００４４】
また、図２８に示す保全費内訳一覧表示フォーム２７４における項目表示領域２７４Ａで一覧表示される表示領域２７４Ｄの項目における「実績工事費」の項目の選択により、表示制御手段１９５は、例えば図３１に示すようなウェブブラウザによる画面表示で表示される表示画面であるデータ詳細表示の保全費内訳装置別表示画面２７７を表示させる。
この保全費内訳装置別表示画面２７７は、保全費内訳一覧表示フォーム２７４と同様のフォーム形態、すなわち、複数のタグ２０１Ａ〜２０１Ｋ、リストボックス２０２、日常保全費コマンドボタン２７３Ｂおよび保全費多次元分析コマンドボタン２７３Ｄが設けられているとともに、処理装置を構成する部位である構成装置毎の保全費に関するデータを項目毎に表示する項目表示領域２７７Ａ〜２７７Ｃが設けられている。そして、これら項目表示領域２７７Ａ〜２７７Ｃには、同様にデータを表示させる表示領域２７７Ｄがそれぞれ設けられている。なお、これら表示領域２７７Ｄについても、例えばアイコン表示２７７Ｄ１などのように、基準値判断手段１９４による判断に基づいて、他のデータと異なる状態に表示される。
【００４５】
そして、図２８に示す保全費内訳一覧表示フォーム２７４および図３１に示す保全費内訳装置別表示画面２７７の保全費多次元分析コマンドボタン２７３Ｄが入力操作されることにより、表示制御手段１９５は、例えば図３２に示すようなウェブブラウザによる画面表示で表示されるデータ詳細表示の保全費多次元分析表示画面２７８を表示させる。この保全費多次元分析表示画面２７８は、保全費に関するデータを多次元的すなわち「課別」や「装置別」などの異なる分類項目で分類して一覧表示させる。
この保全費多次元分析表示画面２７８には、一元管理一覧表示フォーム２００と同様に、複数のタグ２０１Ａ〜２０１Ｋおよびリストボックス２０２が設けられている。また、保全費多次元分析表示画面２７８には、一覧表示するデータの項目毎、すなわち設備管理部門の業務内容で管理する１つの保全費に関するデータを多次元となる項目毎に表示させる複数の項目表示領域２７８Ａ〜２７８Ｇが設けられている。これら項目表示領域２７８Ａ〜２７８Ｇも同様に、操作手段１６０や端末操作手段による入力操作により選択可能に構成されている。
さらに、項目表示領域２７８Ａ〜２７８Ｇには、データを表示させる表示領域２７８Ｈがそれぞれ設けられている。これら表示領域２７８Ｈは、一元管理一覧表示フォーム２００の表示領域２０４と同様に、基準値判断手段１９４による判断に基づいて、異なる色で縁取りする状態に表示させたり、データをバー表示する場合のバー表示領域の色を異なる色で表示させたり、アイコン表示する場合にはアイコンの色を異なる色で表示させたり、表示を閲覧している利用者に注意を喚起させるアイコンを隣接して表示（図３２中のアイコン表示２７８Ｈ１）させたりする処理をする。また、グラフ表示される表示領域２７８Ｈには、基準値データの閾値に対応する閾値表示２７８Ｈ２も併せて表示される。
そして、項目表示領域２７８Ａ〜２７８Ｇの選択により、表示制御手段１９５は、その項目におけるデータの詳細表示、例えば図３３に示すようなウェブブラウザによる画面表示で表示されるデータ詳細表示の次元別保全費詳細画面２７８Ｉを表示させる。なお、図３３は、項目表示領域２７８Ａが選択された場合の画面表示を例示するが、他の表示領域２７８Ｂ〜２７８Ｇが選択された場合には、その項目における次元別保全費詳細画面が表示される。また、いわゆるポップアップ表示など、表示形態としては、いずれの方法でもよい。
【００４６】
また、図２９に示す日常保全費分析一覧表示フォーム２７５の工事リストコマンドボタン２７５Ａが選択されると、図３４および図３５に示すような工事リスト一覧フォーム２７９Ａ，２７９Ｂが表示される。なお、これら工事リスト一覧フォーム２７９Ａ，２７９Ｂは、上述したように、一元管理一覧表示フォーム２００の業務カテゴリ表示領域２０３Ｉの選択でも表示される。そして、これら工事リスト一覧フォーム２７９Ａ，２７９Ｂは、図３４および図３５に示すように、それぞれ切替タグ２７９Ａ１，２７９Ｂ１により、工事コストについて一覧表示した表示画面である図３４に示す工事リスト一覧フォーム２７９Ａと、工事スケジュールについて一覧表示した表示画面である図３５に示す工事リスト一覧フォーム２７９Ｂとが切替表示される。
そして、これら工事リスト一覧フォーム２７９Ａ，２７９Ｂには、一元管理一覧表示フォーム２００と同様に、複数のタグ２０１Ａ〜２０１Ｋおよびリストボックス２０２が設けられている。また、工事リスト一覧フォーム２７９Ａには、工事コストに関するデータを一覧表示させる項目表示領域２７９Ａ２と、この項目表示領域２７９Ａ２に一覧表示させるデータを選定するための条件を設定入力するためのテキストボックスやリストボックスなどを有する項目表示領域２７９Ａ３と、が設けられている。一方、工事リスト一覧フォーム２７９Ｂには、工事スケジュールに関するデータを一覧表示させる項目表示領域２７９Ｂ２と、この項目表示領域２７９Ｂ２に一覧表示させるデータを選定するための条件を設定入力するためのテキストボックスやリストボックスなどを有する項目表示領域２７９Ｂ３と、が設けられている。
また、これら工事リスト一覧フォーム２７９Ａ，２７９Ｂの項目表示領域２７９Ａ２，２７９Ｂ２には、操作手段１６０や端末操作手段による入力操作により選択可能に、データを表示させる表示領域２７９Ａ４，２７９Ｂ４が設けられている。これら表示領域２７９Ａ４，２７９Ｂ４は、一元管理一覧表示フォーム２００の表示領域２０４と同様に、基準値判断手段１９４による判断に基づいて、異なる色で縁取りする状態に表示させたり、データをバー表示する場合のバー表示領域の色を異なる色で表示（図３４中のバー彩り表示２７９Ａ５）させたり、アイコン表示する場合にはアイコンの色を異なる色で表示させたり、表示を閲覧している利用者に注意を喚起させるアイコンを隣接して表示させたりする処理をする。また、グラフ表示される表示領域２７９Ａ４には、基準値データの閾値に対応する閾値表示２７９Ａ６も併せて表示される。
そして、表示領域２７９Ａ４，２７９Ｂ４が選択されると、表示制御手段１９５は、例えば、図３６に示すようなウェブブラウザによる画面表示で表示され工事に関するデータを詳細に表示する工事データ詳細表示画面２７９Ｃを表示させる。
【００４７】
また、図３７に示す高度制御一覧フォーム２８０は、業務内容の１つである高度制御部門で管理するデータを一覧表示させる。この高度制御一覧フォーム２８０は、一元管理一覧表示フォーム２００の業務カテゴリ表示領域２０３Ｉの選択により表示されるとともに、タグ２０１Ｊの選択でも表示される。
この高度制御一覧フォーム２８０には、一元管理一覧表示フォーム２００と同様に、複数のタグ２０１Ａ〜２０１Ｋおよびリストボックス２０２が設けられている。また、高度制御一覧フォーム２８０には、高度制御部門で管理する業務内容における管理する項目毎にデータを表示させる複数の項目表示領域２８０Ａ，２８０Ｂが設けられている。これら項目表示領域２８０Ａ，２８０Ｂは、操作手段１６０や端末操作手段による入力操作により選択可能に構成されている。そして、これら項目表示領域２８０Ａ，２８０Ｂには、データを表示させる表示領域２８０Ｃがそれぞれ設けられている。
さらに、高度制御一覧フォーム２８０には、制御稼働率の履歴を表示させるための条件を設定するリストボックス２８０Ｄが設けられている。そして、このリストボックス２８０Ｄの設定入力により、表示制御手段１９５は、例えば図３８に示すようなウェブブラウザによる画面表示で表示されるデータ詳細表示の高度制御稼働率推移画面２８１を表示させる。
また、設定入力により、表示制御手段１９５は、例えば図３９に示すようなウェブブラウザによる画面表示で表示されるデータ詳細表示の高度制御切離要因画面２８２を表示させる。
さらに、高度制御一覧フォーム２８０の表示領域２８０Ｃが選択されることにより、表示制御手段１９５は、その選択されたデータの詳細表示、例えば図４０に示すようなウェブブラウザによる画面表示で表示される表示画面であるデータ詳細表示の高度制御トレンド画面２８３を表示させる。
そして、高度制御一覧フォーム２８０の設定入力により、表示制御手段１９５は、例えば図４１に示すようなウェブブラウザによる画面表示で表示される表示画面であるデータ詳細表示の高度制御稼働画面２８４を表示させる。そして、高度制御稼働画面２８４には、一覧表示するデータの項目毎、すなわち高度制御管理部門の業務内容の１つである処理装置の構成部位の高度制御稼働状況に関する項目毎にデータを表示させる複数の項目表示領域２８４Ａ，２８４Ｂが設けられている。これら項目表示領域２８４Ａ，２８４Ｂには、高度制御稼働状況のデータを表示させる表示領域２８４Ｃが設けられている。
また、この高度制御稼働画面２８４に一覧表示されるデータが選択されることにより、表示制御手段１９５は、例えば図４２に示すようなウェブブラウザによる画面表示で表示される表示画面であるデータ詳細表示の高度制御詳細画面２８５が表示される。この高度制御詳細画面２８５には、高度制御稼働状況のデータを表示させる表示領域２８５Ａが複数設けられている。そして、これら表示領域２８５Ａは、一元管理一覧表示フォーム２００の表示領域２０４と同様に、基準値判断手段１９４による判断に基づいて、異なる色で縁取りする状態に表示させたり、データをバー表示する場合のバー表示領域の色を異なる色で表示させたり、アイコン表示する場合にはアイコンの色を異なる色で表示させたり、表示を閲覧している利用者に注意を喚起させるアイコンを隣接して表示させたり、データの数値を異なる色で表示させたりする処理をする。また、基準値データの閾値に対応する閾値表示２８５Ｂも併せて表示される。
【００４８】
また、高度制御一覧フォーム２８０の設定入力により、表示制御手段１９５は、例えば図４３ないし図４５に示すようなウェブブラウザによる画面表示で表示される表示画面である最適化稼働画面２８６〜２８８を表示させる。そして、これら最適化稼働画面２８６〜２８８は、図４３ないし図４５に示すように、それぞれ切替タグ２８６ＡＡ，２８７ＡＡ，２８８ＡＡにより、高度制御管理部門の業務内容の１つである処理装置の構成部位の高度制御稼働の最適化変数について一覧表示した表示画面である図４３に示す最適化稼働画面２８６と、最適化稼働の制約変数について一覧表示した表示画面である図４４に示す最適化稼働画面２８７と、最適化稼働によるコストについて一覧表示した表示画面である図４５に示す最適化稼働画面２８８とが切替表示される。
そして、図４３に示す最適化稼働画面２８６には、一覧表示するデータの項目毎、すなわち高度制御管理部門の業務内容の１つである処理装置の構成部位の高度制御稼働の最適化変数表示に関する項目毎にデータを表示させる複数の項目表示領域２８６Ａ〜２８６Ｃが設けられている。これら項目表示領域２８６Ａ〜２８６Ｃは、操作手段１６０や端末操作手段による入力操作により選択可能に構成されている。
また、項目表示領域２８６Ａ〜２８６Ｃには、高度制御稼働状況のデータを表示させる表示領域２８６Ｄがそれぞれ設けられている。そして、これら表示領域２８６Ｄは、一元管理一覧表示フォーム２００の表示領域２０４と同様に、基準値判断手段１９４による判断に基づいて、異なる色で縁取りする状態に表示させたり、データをバー表示する場合のバー表示領域の色を異なる色で表示させたり、アイコン表示する場合にはアイコンの色を異なる色で表示（図４３中のアイコン彩り表示２８６Ｄ１）させたり、表示を閲覧している利用者に注意を喚起させるアイコンを隣接して表示させたり、データの数値を異なる色で表示させたりする処理をする。また、グラフ表示される表示領域２８６Ｄには、基準値データの閾値に対応する閾値表示２８６Ｅも併せて表示される。そして、項目表示領域２８６Ｂの表示領域２８６Ｄが選択されると、例えば図４６に示すようなウェブブラウザによる画面表示で表示される表示画面であるデータ詳細表示の最適化稼働率推移画面２８６Ｆが表示される。
また、図４４に示す最適化稼働画面２８７には、最適化稼働の制約変数表示に関するデータを表示させる複数の表示領域２８７Ａが設けられている。これら表示領域２８７Ａは、一元管理一覧表示フォーム２００の表示領域２０４と同様に、基準値判断手段１９４による判断に基づいて、異なる色で縁取りする状態に表示させたり、データをバー表示する場合のバー表示領域の色を異なる色で表示させたり、アイコン表示する場合にはアイコンの色を異なる色で表示（図４４中のアイコン彩り表示２８７Ａ１）させたり、表示を閲覧している利用者に注意を喚起させるアイコンを隣接して表示させたり、データの数値を異なる色で表示させたりする処理をする。また、グラフ表示される表示領域２８７Ａには、基準値データの閾値に対応する閾値表示２８７Ｂも併せて表示される。そして、表示領域２８７Ａが選択されることにより、例えば図４７に示すようなウェブブラウザによる画面表示で表示される表示画面であるデータ詳細表示の最適化制約箇所推移画面２８８Ｃが表示される。
さらに、図４５に示す最適化稼働画面２８８には、最適化稼働によるコストに関するデータを表示させる複数の表示領域２８８Ａが設けられている。
【００４９】
また、図４８に示す課別一覧表示フォーム２９０は、品質管理部門で管理する一部の業務カテゴリである各課で管理するデータを一覧表示させる。この課別一覧表示フォーム２９０は、一元管理一覧表示フォーム２００の業務カテゴリ表示領域２０３Ｄの選択とともに、タグ２０１Ｄの選択、および、図１２に示す品質管理一覧フォーム２３０の項目表示領域２３１Ａの表示領域２３２の選択により表示される。
この課別一覧表示フォーム２９０には、一元管理一覧表示フォーム２００と同様に、複数のタグ２０１Ａ〜２０１Ｋが設けられているとともに、リストボックス２０２が設けられている。さらに、課別一覧表示フォーム２９０には、一覧表示するデータの項目毎、すなわち業務課における業務内容の管理する項目毎にデータを表示させる複数の項目表示領域２９０Ａ〜２０９Ｈが設けられている。これら項目表示領域２９０Ａ〜２９０Ｈは、操作手段１６０や端末操作手段による入力操作により選択可能に構成されている。また、課別一覧表示フォーム２９０には、例えばＣＳＶ形式により一覧表示させる図示しないＣＳＶ一覧表示画面を表示させるための条件を設定するリストボックス２９０ＪおよびＣＳＶ一覧表示画面の表示を実行させるコマンドボタン２９０Ｋが設けられている。
そして、項目表示領域２９０Ａが選択されると、表示制御手段１９５は、図３に示す安全管理一覧フォーム２１０を表示させる。また、項目表示領域２９０Ｂが選択されると、表示制御手段１９５は、図３４および図３５に示すような工事リスト一覧フォーム２７９Ａ，２７９Ｂを表示させる。さらに、項目表示領域２９０Ｃが選択されると、表示制御手段１９５は、図２７に示す設備管理一覧フォーム２７０を表示させる。
また、項目表示領域２９０Ａ〜２９０Ｈには、データを表示させる表示領域２９０Ｉがそれぞれ設けられている。これら表示領域２９０Ｉは、一元管理一覧表示フォーム２００の表示領域２０４と同様に、基準値判断手段１９４による判断に基づいて、異なる色で縁取りする状態に表示（図４８中の縁取り表示２９０Ｉ１）させたり、データをバー表示する場合のバー表示領域の色を異なる色で表示させたり、アイコン表示する場合には、アイコンの色を異なる色で表示させたり、表示を閲覧している利用者に注意を喚起させるアイコンを隣接して表示させたりする処理をする。
【００５０】
そして、課別一覧表示フォーム２９０の項目表示領域２９０Ｄあるいはこの項目表示領域２９０Ｄに一覧表示される表示領域２９０Ｉが選択されることにより、表示制御手段１９５は、所定のデータ詳細表示用のフォームを用いて、この項目表示領域２９０Ｄの一覧表示するデータである入荷計画について、例えば図４９に示すようなウェブブラウザによる画面表示で表示される表示画面である入荷計画のデータを表示する入荷計画データ詳細画面２９１を表示させる。
また、項目表示領域２９０Ｅあるいはこの項目表示領域２９０Ｅに一覧表示される表示領域２９０Ｉが選択されることにより、表示制御手段１９５は、所定のデータ詳細表示用のフォームを用いて、この項目表示領域２９０Ｅの一覧表示するデータである出荷計画について、例えば図５０に示すようなウェブブラウザによる画面表示で表示される表示画面である出荷計画のデータを表示する出荷計画データ詳細画面２９２を表示させる。
さらに、項目表示領域２９０Ｆあるいはこの項目表示領域２９０Ｆに一覧表示される表示領域２９０Ｉが選択されることにより、表示制御手段１９５は、所定のデータ詳細表示用のフォームを用いて、この項目表示領域２９０Ｆの一覧表示するデータである原料の混合計画であるブレンド計画について、例えば図５１に示すようなウェブブラウザによる画面表示で表示される表示画面であるブレンド計画のデータを表示するブレンド計画データ詳細画面２９３を表示させる。
また、項目表示領域２９０Ｇの「出荷実績」の項目あるいはこの「出荷実績」の項目内の表示領域２９０Ｉが選択されることにより、表示制御手段１９５は、所定のデータ詳細表示用のフォームを用いて、この「出荷実績」について、例えば図５２に示すようなウェブブラウザによる画面表示で表示される表示画面である出荷実績のデータを表示するブレンド計画データ詳細画面２９４を表示させる。
【００５１】
また、課別一覧表示フォーム２９０の項目表示領域２９０Ｆには、項目表示領域２３１Ａの一覧表示するブレンドに関するデータについて、例えば図５３に示すようなウェブブラウザによる画面表示で表示される表示画面であるデータ詳細表示のブレンドギブアウェイ画面２９５を表示させるコマンドボタン２９０Ｌが設けられている。
そして、図５３に示すブレンドギブアウェイ画面２９５には、複数のタグ２０１Ａ〜２０１Ｋおよびリストボックス２０２が設けられている。また、ブレンドギブアウェイ画面２９５には、一覧表示するデータの項目毎、すなわち業務課で管理する業務内容の項目毎にデータを表示させる複数の項目表示領域２９５Ａ〜２９５Ｃが設けられている。これら項目表示領域２９５Ａ〜２９５Ｃも同様に、操作手段１６０や端末操作手段による入力操作により選択可能に構成されている。
また、項目表示領域２９５Ａ〜２９５Ｃには、データを表示させる表示領域２９５Ｄがそれぞれ設けられている。そして、項目表示領域２９５Ａの表示領域２９５Ｄが選択されることにより、表示制御手段１９５は、所定のデータ詳細表示用のフォームを用いて、この項目表示領域２９５Ｄを一覧表示するデータであるブレンド状況について、例えば図５４に示すようなウェブブラウザによる画面表示で表示される表示画面であるブレンド状況のデータを表示するデータ詳細表示のブレンド詳細画面２９６を表示させる。
【００５２】
さらに、課別一覧表示フォーム２９０の項目表示領域２９０Ｈあるいはこの項目表示領域２９０Ｈの表示領域２９０Ｉが選択されることにより、表示制御手段１９５は、所定のデータ詳細表示用のフォームを用いて、この「出荷実績」について、例えば図５５および図５６に示すようなウェブブラウザによる画面表示で表示される表示画面である在庫管理に関するデータを表示する在庫管理画面２９７Ａ，２９７Ｂを表示させる。なお、これら在庫管理画面２９７Ａ，２９７Ｂは、上述したように、一元管理一覧表示フォーム２００の業務カテゴリ表示領域２０３Ｋの選択でも表示される。そして、これら在庫管理画面２９７Ａ，２９７Ｂは、図５５および図５６に示すように、それぞれ切替タグ２９７Ａ１，２９７Ｂ１、２９７Ｃ１により、タンクの在庫を品質などのグループで一覧表示した表示画面である図５５に示す在庫管理画面２９７Ａと、品種毎の在庫データを一覧表示する図示しない在庫管理画面と、タンク毎の在庫データを一覧表示した表示画面である図５６に示す在庫管理画面２９７Ｂとが切替表示される。
そして、これら在庫管理画面２９７Ａ，２９７Ｂには、一元管理一覧表示フォーム２００と同様に、複数のタグ２０１Ａ〜２０１Ｋおよびリストボックス２０２が設けられている。また、在庫管理画面２９７Ａには、グループ毎の在庫データを一覧表示させる項目表示領域２９７Ａ２と、この項目表示領域２９７Ａ２に一覧表示させるデータを選定するための条件を設定入力するためのリストボックス２９７Ａ３Ａを有する項目表示領域２９７Ａ３と、が設けられている。一方、在庫管理画面２９７Ｂには、タンク毎の在庫データを一覧表示させる項目表示領域２９７Ｂ２と、この項目表示領域２９７Ｂ２に一覧表示させるデータを選定するための条件を設定入力するためのリストボックス２９７Ｂ３Ａを有する項目表示領域２７９Ｂ３と、が設けられている。
【００５３】
また、課別一覧表示フォーム２９０の項目表示領域２９０Ｈには、タンク毎の在庫データを項目毎に一覧表示、例えば図５７に示すようなウェブブラウザによる画面表示で表示される表示画面であるデータ詳細表示のタンク在庫分析画面２９８を表示させるコマンドボタン２９０Ｍが設けられている。そして、この図５７に示すタンク在庫分析画面２９８に表示されるデータが選択されると、表示制御手段１９５は、例えば図５８に示すようなウェブブラウザによる画面表示で表示される表示画面であるデータ詳細表示の在庫トレンド画面２９８Ａを表示させる。なお、この在庫トレンド画面２９８Ａには、基準値データの閾値に対応する閾値表示２９８Ｂも併せて表示される。
さらに、項目表示領域２９０Ｈには、油種毎の在庫データを項目毎に一覧表示、例えば図５９に示すようなウェブブラウザによる画面表示で表示される表示画面であるデータ詳細表示の油種在庫分析画面２９９を表示させるコマンドボタン２９０Ｎが設けられている。
【００５４】
〔運用管理システムの動作〕
次に、上記運用管理システムの動作について説明する。
【００５５】
あらかじめ、各業務部門で管理するサーバ装置１３０に、ネットワーク１１０を介して送受信可能に運用管理システム１００を接続する。また、ネットワーク１１０を介して端末装置１２０が運用管理システム１００から各種データを取得して閲覧可能に、運用管理システム１００を設定しておく。すなわち、コンピュータに運用管理システム１００用のアプリケーションソフトウェアをインストールする。
そして、運用管理システム用のアプリケーションソフトウェアを起動させ、図示しない設定入力用のフォームに基づいて基準値データを生成して基準値記憶領域１８３を構築する。また、各サーバ装置１３０から取得するデータ、これらデータを取得する時間間隔などを設定し、初期設定を完了させる。
【００５６】
運用管理システム１００は、演算手段１９０のデータ要求手段１９２により、例えばタイムテーブルおよび計時手段１９１で計時する現在時刻に基づいて、ネットワーク１１０を介してサーバ装置１３０へ蓄積された各種データのうち所定のデータの送信を要求する旨の要求信号を所定時間経過毎に出力する。そして、運用管理システム１００は、データ要求手段１９２による要求信号の出力に応じてサーバ装置１３０から送信されるデータおよびこのデータに関連付けられた日時情報に、要求情報に含まれる通信手段１５０で認識している通信相手のサーバ装置１３０のサーバ識別情報および特性情報と、業務内容情報とを１つのレコードとして関連付けた記録情報を生成させ、データ記憶領域１８１に記憶させる。
そして、運用管理システム１００は、演算手段１９０の表示制御手段１９５により、ネットワーク１１０を介して接続する端末装置１２０からデータ開示要求であるログインデータを認識すると、メニュー画面となる図２に示す一元管理一覧表示フォーム２００を、端末装置１２０へ送信して端末表示手段で一覧表示する状態に送信する。この一元管理一覧表示フォーム２００の表示の際、表示されるデータが一覧表示される。さらに、基準値判断手段１９４により、要求情報に含まれるサーバ識別情報および特性情報に基づいて、基準値記憶領域１８３に記憶する基準値データの閾値と表示されるデータとを比較する。そして、データが基準値データの閾値の範囲外であると判断した場合、表示制御手段１９５により、そのデータを表示する表示領域２１２の縁取りを異なる色で表示（図３中の縁取り表示２１２Ａ）させたり、データをバー表示する場合のバー表示領域の色を異なる色で表示させたり、アイコン表示する場合にはアイコンの色を異なる色で表示させたり、表示を閲覧している利用者に注意を喚起させるアイコンを隣接して表示させたり、データの数値を異なる色で表示させたりする処理をする。
また、例えば端末装置１２０から、表示されている一元管理一覧表示フォーム２００の業務カテゴリ表示領域２０３Ａ〜２０３Ｌのいずれかを端末操作手段で選択する設定入力に応じた信号を認識すると、表示制御手段１９５は、各業務カテゴリに関するデータを一覧表示させるフォームを送信して表示させる。
【００５７】
〔実施の形態の効果〕
上述したように、上記実施の形態では、データ要求手段１９２によりネットワーク１１０を介して業務カテゴリ毎に設けられた複数のサーバ装置１３０へ蓄積された所定のデータの送信を要求する旨の要求信号を所定時間経過毎に出力し、データ取得手段１９３により要求信号の出力に応じてサーバ装置１３０から送信されるデータにサーバ装置１３０を特定するサーバ識別情報を関連付けて１つの記録情報を生成してデータ記憶領域１８１に記憶させる。さらに、基準値判断手段１９４により、データ取得手段１９３で取得したデータを、基準値記憶領域１８３に記憶された基準値データの基準値の閾値と比較し、基準値の範囲外か否かを判断する。そして、データの開示要求を認識すると、一元管理一覧表示フォーム２００および業務カテゴリ別の各表示フォーム２１０，２２０，２３０，２４０，２４６，２５０，２７０，２７９Ａ，２７９Ｂ，２８０，２９０，２９７Ａ，２９７Ｂを用いて、取得したデータを表示手段１７０や端末表示手段で表示させるとともに、基準値の範囲外であると判断したデータについては、基準値の範囲内であるデータを一元管理一覧表示フォーム２００や業務カテゴリ別の各表示フォーム２１０，２２０，２３０，２４０，２４６，２５０，２７０，２７９Ａ，２７９Ｂ，２８０，２９０，２９７Ａ，２９７Ｂの各表示領域２０４，２１２，２２５，２３２，２４５，２４６Ｄ，２５５，２７２，２７９Ａ４，２７９Ｂ４，２８０Ｃ，２９０Ｉに表示する表示形態と異なる表示形態（縁取り表示２１２Ａ，２３２Ａ，２４６Ｄ１，２７２Ａ，２９０Ｉ１、バー彩り表示２０４Ｂ，２７９Ａ５、アイコン彩り表示２０４Ｃ，２２５Ａ，２４５Ａ，２８６Ｄ１，２８６Ａ１，２８７Ａ１、アイコン表示２２５Ｂ，２４５Ｂ，２４６Ｄ２，２４６Ｅ６Ｂ，２５５Ａ，２７３Ｄ１，２７６Ｄ１，２７７Ｄ１，２７８Ｈ１、数値色表示２４５Ｃ）で表示領域２０４，２１２，２２５，２３２，２４５，２４６Ｄ，２５５，２７２，２７９Ａ４，２７９Ｂ４，２８０Ｃ，２９０Ｉに表示させる。
このため、複数のサーバ装置１３０で管理されるデータを、各業務カテゴリ別として統括管理できるとともに、業務カテゴリ毎のデータの詳細な内容の管理もでき、企業における他の部門の管理者でも、基準値との比較結果の表示による容易な認識ができ、処理装置の運転に関する企業におけるデータの一元管理およびトータル的な管理・運用が容易にできる。
【００５８】
そして、表示制御手段１９５により、入力操作により表示領域２０４，２１２，２２５，２３２，２４５，２４６Ｄ，２５５，２７２，２７９Ａ４，２７９Ｂ４，２８０Ｃ，２９０Ｉを選択するデータの開示要求を認識すると、表示領域２０４，２１２，２２５，２３２，２４５，２４６Ｄ，２５５，２７２，２７９Ａ４，２７９Ｂ４，２８０Ｃ，２９０Ｉに対応するデータを、基準値データの閾値とともに表示手段１７０や端末表示手段で表示（閾値表示２１３Ａ，２２５Ｃ，２３２Ｂ，２４５Ｄ，２４６Ｄ３，２４６Ｅ６，２５５Ｂ，２７６Ｄ２，２７８Ｈ２，２７９Ａ６，２８５Ｂ，２８６Ｅ，２８７Ｂ，２９８Ｂ）させる。
このため、処理装置の運転に関して基準値を超えている状態を容易に認識でき、迅速かつ円滑な対応が容易にできる。
【００５９】
また、データ取得手段１９３により、データとともにデータを集積するサーバ装置１３０で計時する現在日時に関する日時情報を取得し、１つの記録情報を生成させる。
このため、各業務部門で管理するサーバ装置１３０での管理状態と同様に、企業における異なる部門においてもリアルタイムで管理できるとともに、同様な管理ができることから、本システム管理への移行も容易にできる。さらには、日時による履歴管理などをすることも容易にできる。
【００６０】
さらに、表示制御手段１９５により、入力操作により表示領域が選択されて表示領域２０４，２１２，２２５，２３２，２４５，２４６Ｄ，２５５，２７２，２７９Ａ４，２７９Ｂ４，２８０Ｃ，２９０Ｉに表示されるデータの開示要求を認識すると、データに関連付けられた日時情報と同一の日時情報を有する他のデータと併せて一覧表示、すなわちその業務部門で管理する異なる業務内容である項目毎に同一項目の他のデータも併せて一覧表示させる。
このため、例えば同一の業務カテゴリ毎における処理装置の運転に関する異なるデータの比較など、よりトータル的な管理・運用性を向上できる。
【００６１】
そして、ネットワーク１１０を介して、端末装置１２０にて閲覧可能なシステム構成としている。
このため、ネットワーク１１０の利用により、各種データが企業における各業務部門での管理・運用が容易にでき、円滑で良好な運用が図れ、利用の拡大が容易に図れる。
【００６２】
〔実施の形態の変形〕
なお、以上説明した態様は、本発明の一態様を示したものであって、本発明は、上述した各実施の形態に限定されるものではなく、本発明の目的および効果を達成できる範囲内での変形や改良が、本発明の内容に含まれるものであることはいうまでもない。また、本発明を実施する際における具体的な構造および形状などは、本発明の目的および効果を達成できる範囲内において、他の構造や形状などとしても適用できる。
【００６３】
すなわち、原油の処理を実施する製油所を例示して説明するが、製油所に限らず、例えば合成樹脂を製造する施設などの各種製品を製造する製造設備や、水処理プラントなど、各種処理を対照とすることができる。
そして、一元管理としても、１つの製油所１０１についてのデータの一元管理の構成を例示するが、複数の製油所１０１、例えば北海道や京浜、中京など、地域毎に複数の処理装置が存在する場合などには、製油所毎に切替表示させるようにしてもよい。また、一元管理する業務内容として、上述した分類に限られず、適宜追加、削除できる。
【００６４】
その他、本発明の実施の際の具体的な構造および手順は、本発明の目的を達成できる範囲で他の構成に変更するなどしてもよい。
【図面の簡単な説明】
【００６５】
【図１】本発明の一実施形態に係る運用管理システムの概略構成を示すブロック図である。
【図２】前記一実施形態におけるウェブブラウザによる画面表示で表示される表示画面である一元管理一覧表示フォームを示す概念図である。
【図３】前記一実施形態におけるウェブブラウザによる画面表示で表示される表示画面である安全管理一覧フォームを示す概念図である。
【図４】前記一実施形態におけるウェブブラウザによる画面表示で表示される各課における無災害労働時間をグラフ表示するデータ詳細画面を示す概念図である。
【図５】前記一実施形態におけるウェブブラウザによる画面表示で表示されるヒヤリハットの事例を表示するデータ詳細画面を示す概念図である。
【図６】前記一実施形態におけるウェブブラウザによる画面表示で表示されるヒヤリハット件数を一覧表示するデータ詳細画面を示す概念図である。
【図７】前記一実施形態におけるウェブブラウザによる画面表示で表示されるヒヤリハット分析についての詳細な分析用のグラフ一覧表示をするデータ詳細画面を示す概念図である。
【図８】前記一実施形態におけるウェブブラウザによる画面表示で表示される表示画面である環境管理部門で管理するデータを一覧表示する環境管理一覧フォームを示す概念図である。
【図９】前記一実施形態におけるＣＳＶ形式により環境管理部門で管理するデータを一覧表示されるＣＳＶ一覧表示画面を示す概念図である。
【図１０】前記一実施形態におけるウェブブラウザによる画面表示で表示される排ガスのデータを表示するデータ詳細画面を示す概念図である。
【図１１】前記一実施形態におけるウェブブラウザによる画面表示で表示される排水のデータを表示するデータ詳細画面を示す概念図である。
【図１２】前記一実施形態におけるウェブブラウザによる画面表示で表示される品質管理部門で管理するデータを一覧表示する表示画面である品質管理一覧フォームを示す概念図である。
【図１３】前記一実施形態におけるウェブブラウザによる画面表示で表示される品質管理部門で管理するデータのヒストグラムを表示するデータ詳細画面を示す概念図である。
【図１４】前記一実施形態におけるウェブブラウザによる画面表示で表示される品質管理結果一覧表示画面を示す概念図である。
【図１５】前記一実施形態におけるウェブブラウザによる画面表示で表示される分析計管理一覧表示画面を示す概念図である。
【図１６】前記一実施形態におけるウェブブラウザによる画面表示で表示される生産管理部門で管理するデータを一覧表示する表示画面である生産管理一覧フォームを示す概念図である。
【図１７】前記一実施形態におけるＣＳＶ形式により生産管理部門で管理するデータを一覧表示されるＣＳＶ一覧表示画面を示す概念図である。
【図１８】前記一実施形態におけるウェブブラウザによる画面表示で表示される生産管理部門における課別にデータを一覧表示させるオンサイト管理である課別管理一覧フォームを示す概念図である。
【図１９】前記一実施形態におけるウェブブラウザによる画面表示で表示されるタグ検索画面を示す概念図である。
【図２０】前記一実施形態におけるウェブブラウザによる画面表示で表示される運転日報画面を示す概念図である。
【図２１】前記一実施形態におけるウェブブラウザによる画面表示で表示される表示画面である装置一覧フォームを示す概念図である。
【図２２】前記一実施形態におけるウェブブラウザによる画面表示で表示される表示画面である装置詳細図フォームを示す概念図である。
【図２３】前記一実施形態におけるウェブブラウザによる画面表示で表示される表示画面である目標値一覧表示フォームを示す概念図である。
【図２４】前記一実施形態におけるウェブブラウザによる画面表示で表示される表示画面である用役管理一覧フォームを示す概念図である。
【図２５】前記一実施形態におけるＣＳＶ形式により用役管理部門で管理するデータを一覧表示されるＣＳＶ一覧表示画面を示す概念図である。
【図２６】前記一実施形態におけるウェブブラウザによる画面表示で表示される表示画面である用役詳細一覧フォームを示す概念図である。
【図２７】前記一実施形態におけるウェブブラウザによる画面表示で表示される表示画面である設備管理一覧フォームを示す概念図である。
【図２８】前記一実施形態におけるウェブブラウザによる画面表示で表示される表示画面である保全費内訳一覧表示フォームを示す概念図である。
【図２９】前記一実施形態におけるウェブブラウザによる画面表示で表示される表示画面である日常保全費分析一覧表示フォームを示す概念図である。
【図３０】前記一実施形態におけるウェブブラウザによる画面表示で表示される表示画面である機器信頼分析一覧表示フォームを示す概念図である。
【図３１】前記一実施形態におけるウェブブラウザによる画面表示で表示される保全費内訳装置別表示画面を示す概念図である。
【図３２】前記一実施形態におけるウェブブラウザによる画面表示で表示される保全費多次元分析表示画面を示す概念図である。
【図３３】前記一実施形態におけるウェブブラウザによる画面表示で表示される次元別保全費詳細画面を示す概念図である。
【図３４】前記一実施形態におけるウェブブラウザによる画面表示で表示される工事コストについて一覧表示する表示画面である工事リスト一覧フォームを示す概念図である。
【図３５】前記一実施形態におけるウェブブラウザによる画面表示で表示される工事スケジュールについて一覧表示する表示画面である工事リスト一覧フォームを示す概念図である。
【図３６】前記一実施形態におけるウェブブラウザによる画面表示で表示され工事に関するデータを表示する工事データ詳細表示画面を示す概念図である。
【図３７】前記一実施形態におけるウェブブラウザによる画面表示で表示される高度制御一覧フォームを示す概念図である。
【図３８】前記一実施形態におけるウェブブラウザによる画面表示で表示される高度制御稼働率推移画面を示す概念図である。
【図３９】前記一実施形態におけるウェブブラウザによる画面表示で表示される高度制御切離要因画面を示す概念図である。
【図４０】前記一実施形態におけるウェブブラウザによる画面表示で表示される高度制御トレンド画面を示す概念図である。
【図４１】前記一実施形態におけるウェブブラウザによる画面表示で表示される高度制御稼働画面を示す概念図である。
【図４２】前記一実施形態におけるウェブブラウザによる画面表示で表示される高度制御詳細画面を示す概念図である。
【図４３】前記一実施形態におけるウェブブラウザによる画面表示で表示される処理装置の構成部位の高度制御稼働の最適化変数について一覧表示する最適化稼働画面を示す概念図である。
【図４４】前記一実施形態におけるウェブブラウザによる画面表示で表示される最適化稼働の制約変数について一覧表示する最適化稼働画面を示す概念図である。
【図４５】前記一実施形態におけるウェブブラウザによる画面表示で表示される最適化稼働によるコストについて一覧表示する最適化稼働画面を示す概念図である。
【図４６】前記一実施形態におけるウェブブラウザによる画面表示で表示される最適化稼働率推移画面を示す概念図である。
【図４７】前記一実施形態におけるウェブブラウザによる画面表示で表示される最適化制約箇所推移画面を示す概念図である。
【図４８】前記一実施形態におけるウェブブラウザによる画面表示で表示される表示画面である課別一覧表示フォームを示す概念図である。
【図４９】前記一実施形態におけるウェブブラウザによる画面表示で表示される入荷計画のデータを表示する入荷計画データ詳細画面を示す概念図である。
【図５０】前記一実施形態におけるウェブブラウザによる画面表示で表示される出荷計画のデータを表示する出荷計画データ詳細画面を示す概念図である。
【図５１】前記一実施形態におけるウェブブラウザによる画面表示で表示されるブレンド計画のデータを表示するブレンド計画データ詳細画面を示す概念図である。
【図５２】前記一実施形態におけるウェブブラウザによる画面表示で表示される出荷実績のデータを表示するブレンド計画データ詳細画面を示す概念図である。
【図５３】前記一実施形態におけるウェブブラウザによる画面表示で表示されるブレンドギブアウェイ画面を示す概念図である。
【図５４】前記一実施形態におけるウェブブラウザによる画面表示で表示されるブレンド状況のデータを表示するブレンド詳細画面を示す概念図である。
【図５５】前記一実施形態におけるウェブブラウザによる画面表示で表示される表示画面である在庫管理に関するデータをタンクの在庫を品質などのグループで一覧表示する在庫管理画面を示す概念図である。
【図５６】前記一実施形態におけるウェブブラウザによる画面表示で表示される表示画面である在庫管理に関するデータでタンク毎の在庫データを一覧表示する在庫管理画面を示す概念図である。
【図５７】前記一実施形態におけるウェブブラウザによる画面表示で表示されるタンク在庫分析画面を示す概念図である。
【図５８】前記一実施形態におけるウェブブラウザによる画面表示で表示される在庫トレンド画面を示す概念図である。
【図５９】前記一実施形態におけるウェブブラウザによる画面表示で表示される油種在庫分析画面を示す概念図である。
【符号の説明】
【００６６】
１００……運用管理システム
１０１……処理プラントとしての製油所
１１０……ネットワーク
１２０……端末装置
１３０……サーバ装置
１８１……データ記憶手段としてのデータ記憶領域
１８２……フォーム記憶手段としてのフォーム記憶領域
１８３……基準値記憶手段としての基準値記憶領域
１９０……演算手段
１９１……計時手段
１９２……データ要求手段
１９３……データ取得手段
１９４……基準値判断手段
１９５……表示制御手段
２００……一元管理一覧表示フォーム
２０４，２１２，２２５，２３２，２４５，２４６Ｄ，２５５，２７２，２７９Ａ４，２７９Ｂ４，２８０Ｃ，２９０Ｉ…表示領域
２０４Ｂ，２７９Ａ５…バー彩り表示
２０４Ｃ，２２５Ａ，２４５Ａ，２８６Ｄ１，２８６Ａ１…アイコン彩り表示
２１０……業務カテゴリ別一覧表示フォームとしての安全管理一覧フォーム
２１２Ａ，２３２Ａ，２４６Ｄ１，２４６Ｄ２，２７２Ａ，２９０Ｉ１…縁取り表示
２２０……業務カテゴリ別一覧表示フォームとしての環境管理一覧フォーム
２２５Ｂ，２４５Ｂ，２４６Ｅ６Ｂ，２５５Ａ，２７３Ｄ１，２７６Ｄ１，２７７Ｄ１，２７８Ｈ１…アイコン表示
２３０……業務カテゴリ別一覧表示フォームとしての品質管理一覧フォーム
２４０……業務カテゴリ別一覧表示フォームとしての生産管理一覧フォーム
２４５Ｃ…数値色表示
２４６……業務カテゴリ別一覧表示フォームとしてのオンサイト管理である課別管理一覧フォーム
２５０……業務カテゴリ別一覧表示フォームとしての用役管理一覧フォーム
２７０……業務カテゴリ別一覧表示フォームとしての設備管理一覧フォーム
２７９Ａ，２７９Ｂ…業務カテゴリ別一覧表示フォームとしての工事リスト一覧フォーム
２８０……業務カテゴリ別一覧表示フォームとしての高度制御一覧フォーム
２９０……業務カテゴリ別一覧表示フォームとしての課別一覧表示フォーム
２９７Ａ，２９７Ｂ…業務カテゴリ別一覧表示フォームとしての在庫管理一覧フォームとなる在庫管理画面
【図１】
2008234070.tif 000003
【図２】
2008234070.tif 000004
【図３】
2008234070.tif 000005
【図４】
2008234070.tif 000006
【図５】
2008234070.tif 000007
【図６】
2008234070.tif 000008
【図７】
2008234070.tif 000009
【図８】
2008234070.tif 000010
【図９】
2008234070.tif 000011
【図１０】
2008234070.tif 000012
【図１１】
2008234070.tif 000013
【図１２】
2008234070.tif 000014
【図１３】
2008234070.tif 000015
【図１４】
2008234070.tif 000016
【図１５】
2008234070.tif 000017
【図１６】
2008234070.tif 000018
【図１７】
2008234070.tif 000019
【図１８】
2008234070.tif 000020
【図１９】
2008234070.tif 000021
【図２０】
2008234070.tif 000022
【図２１】
2008234070.tif 000023
【図２２】
2008234070.tif 000024
【図２３】
2008234070.tif 000025
【図２４】
2008234070.tif 000026
【図２５】
2008234070.tif 000027
【図２６】
2008234070.tif 000028
【図２７】
2008234070.tif 000029
【図２８】
2008234070.tif 000030
【図２９】
2008234070.tif 000031
【図３０】
2008234070.tif 000032
【図３１】
2008234070.tif 000033
【図３２】
2008234070.tif 000034
【図３３】
2008234070.tif 000035
【図３４】
2008234070.tif 000036
【図３５】
2008234070.tif 000037
【図３６】
2008234070.tif 000038
【図３７】
2008234070.tif 000039
【図３８】
2008234070.tif 000040
【図３９】
2008234070.tif 000041
【図４０】
2008234070.tif 000042
【図４１】
2008234070.tif 000043
【図４２】
2008234070.tif 000044
【図４３】
2008234070.tif 000045
【図４４】
2008234070.tif 000046
【図４５】
2008234070.tif 000047
【図４６】
2008234070.tif 000048
【図４７】
2008234070.tif 000049
【図４８】
2008234070.tif 000050
【図４９】
2008234070.tif 000051
【図５０】
2008234070.tif 000052
【図５１】
2008234070.tif 000053
【図５２】
2008234070.tif 000054
【図５３】
2008234070.tif 000055
【図５４】
2008234070.tif 000056
【図５５】
2008234070.tif 000057
【図５６】
2008234070.tif 000058
【図５７】
2008234070.tif 000059
【図５８】
2008234070.tif 000060
【図５９】
2008234070.tif 000061